(57)【特許請求の範囲】
【請求項１】
固定枠に対して開閉可能な扉体と、前記扉体に対して開閉可能な前扉と、前記前扉を前記扉体に施錠可能であるとともに、前記扉体を前記固定枠に施錠可能な施錠装置とを備え、
前記施錠装置は、
前記扉体のうち前記固定枠に支持された一辺部側とは反対側の他辺部に沿って前記扉体の背面に取付固定される基体と、
前記前扉の開放を規制する係止位置と前記前扉の開放を許容する非係止位置との間を変位可能な第１施錠部材と、
前記扉体の開放を規制する係止位置と前記扉体の開放を許容する非係止位置との間を変位可能な第２施錠部材と、
所定の操作を行うことで、前記係止位置にある前記第１施錠部材及び前記第２施錠部材を前記非係止位置へと変位可能な操作部材と、
電力が供給されている場合には、前記操作部材が操作されることで前記前扉及び前記扉体の開放を許容する第１の状態となり、
電力供給が停止された場合には、前記操作部材への操作が行われても前記前扉及び前記扉体の開放を規制する第２の状態となる開放規制手段とを備え、
前記基体に対し、前記操作部材、前記第１施錠部材、前記第２施錠部材、及び、前記開放規制手段が取付けられ、
前記開放規制手段は、前記第１施錠部材及び前記第２施錠部材の前記非係止位置側への変位を許容する第１の位置と、前記第１施錠部材及び前記第２施錠部材の前記非係止位置側への変位を規制する第２の位置との間を変位する可動部材と、前記可動部材を変位させる駆動手段とを備え、
電力が供給された状態においては、前記駆動手段が前記可動部材を前記第１の位置へと変位させ、
電力供給が停止された状態においては、前記駆動手段が前記可動部材を前記第２の位置へと変位させ、
前記第１施錠部材と一体的に構成された第１支持片部と、前記第２施錠部材と一体的に構成された第２支持片部とを備え、
前記第１施錠部材の前記非係止位置側への変位方向と、前記第２施錠部材の前記非係止位置側への変位方向とが反対方向であり、
前記可動部材は、前記第１施錠部材及び前記第２施錠部材の変位方向に対して直交又はほぼ直交する方向に沿って変位可能に構成され、
前記第２の位置にある前記可動部材は、前記第１支持片部及び前記第２支持片部の両方に対し、対応する前記第１施錠部材又は前記第２施錠部材が前記非係止位置側に変位しようとした場合に当接する構成であって、
前記駆動手段は、前記可動部材の変位方向に沿った方向において変位可能なプランジャーと、前記プランジャーを突出方向に付勢する付勢手段とを備え、励磁状態とされることで前記プランジャーの突出長が非励磁状態にある場合よりも短くなるプル型のソレノイドにより構成され、
前記可動部材は、磁性体により構成されるとともに、前記プランジャーの先端部に対して非固定状態で当接し、
電力供給が停止された場合には、前記ソレノイドが非励磁状態とされ、前記プランジャーによって前記可動部材が押圧されて前記第２の位置へと変位させられ、
電力が供給された場合には、前記ソレノイドが励磁状態とされ、磁化された前記プランジャーに前記可動部材が引き付けられて前記第１の位置へと変位させられ、
前記第２の位置にある前記可動部材の前記第２の位置側の端部を覆う接触防止手段を備えていることを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、店員以外の者が無断で扉体を開放できないように施錠装置が設けられている。それにもかかわらず、遊技ホールでは、扉体を不正に解錠・開放し、扉体裏側に設けられた制御機器を不正に操作したり交換したりする等して、多くの遊技球を獲得する不正行為が行われることもあった（例えば特許文献１参照）。
【先行技術文献】
【特許文献】
【０００３】
【特許文献１】特開２００６−２６３０２６号公報
【発明の概要】
【発明が解決しようとする課題】
【０００４】
しかしながら、夜間や営業休日等の営業時間外の遊技ホールに不法侵入され、制御機器を交換する等の不正行為が行われた場合には、その発見が困難であり、そのような不正行為により遊技ホールは多大な損害を被るおそれがあった。
【０００５】
尚、かかる課題は、パチンコ機に限らず、スロットマシン等他の遊技機にも内在する問題である。
【０００６】
本発明は、上記例示した問題点等を解決するためになされたものであり、その目的は、扉体の不正開放に対する防御性能を高めることのできる遊技機を提供することにある。
【課題を解決するための手段】
【０００７】
本発明の遊技機は、
固定枠に対して開閉可能な扉体と、前記扉体に対して開閉可能な前扉と、前記前扉を前記扉体に施錠可能であるとともに、前記扉体を前記固定枠に施錠可能な施錠装置とを備え、
前記施錠装置は、
前記扉体のうち前記固定枠に支持された一辺部側とは反対側の他辺部に沿って前記扉体の背面に取付固定される基体と、
前記前扉の開放を規制する係止位置と前記前扉の開放を許容する非係止位置との間を変位可能な第１施錠部材と、
前記扉体の開放を規制する係止位置と前記扉体の開放を許容する非係止位置との間を変位可能な第２施錠部材と、
所定の操作を行うことで、前記係止位置にある前記第１施錠部材及び前記第２施錠部材を前記非係止位置へと変位可能な操作部材と、
電力が供給されている場合には、前記操作部材が操作されることで前記前扉及び前記扉体の開放を許容する第１の状態となり、
電力供給が停止された場合には、前記操作部材への操作が行われても前記前扉及び前記扉体の開放を規制する第２の状態となる開放規制手段とを備え、
前記基体に対し、前記操作部材、前記第１施錠部材、前記第２施錠部材、及び、前記開放規制手段が取付けられ、
前記開放規制手段は、前記第１施錠部材及び前記第２施錠部材の前記非係止位置側への変位を許容する第１の位置と、前記第１施錠部材及び前記第２施錠部材の前記非係止位置側への変位を規制する第２の位置との間を変位する可動部材と、前記可動部材を変位させる駆動手段とを備え、
電力が供給された状態においては、前記駆動手段が前記可動部材を前記第１の位置へと変位させ、
電力供給が停止された状態においては、前記駆動手段が前記可動部材を前記第２の位置へと変位させ、
前記第１施錠部材と一体的に構成された第１支持片部と、前記第２施錠部材と一体的に構成された第２支持片部とを備え、
前記第１施錠部材の前記非係止位置側への変位方向と、前記第２施錠部材の前記非係止位置側への変位方向とが反対方向であり、
前記可動部材は、前記第１施錠部材及び前記第２施錠部材の変位方向に対して直交又はほぼ直交する方向に沿って変位可能に構成され、
前記第２の位置にある前記可動部材は、前記第１支持片部及び前記第２支持片部の両方に対し、対応する前記第１施錠部材又は前記第２施錠部材が前記非係止位置側に変位しようとした場合に当接する構成であって、
前記駆動手段は、前記可動部材の変位方向に沿った方向において変位可能なプランジャーと、前記プランジャーを突出方向に付勢する付勢手段とを備え、励磁状態とされることで前記プランジャーの突出長が非励磁状態にある場合よりも短くなるプル型のソレノイドにより構成され、
前記可動部材は、磁性体により構成されるとともに、前記プランジャーの先端部に対して非固定状態で当接し、
電力供給が停止された場合には、前記ソレノイドが非励磁状態とされ、前記プランジャーによって前記可動部材が押圧されて前記第２の位置へと変位させられ、
電力が供給された場合には、前記ソレノイドが励磁状態とされ、磁化された前記プランジャーに前記可動部材が引き付けられて前記第１の位置へと変位させられ、
前記第２の位置にある前記可動部材の前記第２の位置側の端部を覆う接触防止手段を備えていることを特徴としている。
【発明の効果】
【０００８】
本発明によれば、扉体の不正開放に対する防御性能を高めることができる。
【図面の簡単な説明】
【０００９】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置の背面図である。
【図１１】施錠装置の右側面図である。
【図１２】施錠装置の左側面図である。
【図１３】施錠装置の正面図である。
【図１４】背面側から見た施錠装置の分解図である。
【図１５】側面側から見た施錠装置の分解図である。
【図１６】（ａ）〜（ｃ）はカム板等の作用を説明するための図である。
【図１７】取付板の前面に取付けられる施錠ソレノイドの周辺部を示す斜視図である。
【図１８】プランジャーが没入した状態にある施錠ソレノイドの周辺部を示す拡大図である。
【図１９】プランジャーが突出した状態にある施錠ソレノイドの周辺部を示す拡大図である。
【図２０】別の実施形態における施錠ソレノイドの周辺部を示す断面図である。
【図２１】別の実施形態における施錠ソレノイドの周辺部を示す拡大図である。
【図２２】別の実施形態における施錠装置の下部を示す斜視図である。
【図２３】図２２に示す施錠装置の背面図である。
【図２４】（ａ）は図２２に示す開放規制ユニットの下面図であり、（ｂ）は（ａ）の分解図である。
【図２５】別の実施形態における施錠装置の下部を示す斜視図である。
【図２６】別の実施形態における施錠装置の下部を示す斜視図である。
【図２７】別の実施形態における施錠ソレノイドの周辺部を示す拡大図である。
【図２８】別の実施形態における導通部材等を示す模式断面図である。
【発明を実施するための形態】
【００１０】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００１１】
図１乃至図４に示すように、パチンコ機１０は、当該パチンコ機１０の外郭を構成する固定枠（遊技機本体）としての外枠１１を備えており、この外枠１１の一側部に扉体（第１扉体）としての内枠１２が開閉可能に支持されている。外枠１１は、例えば木製の板材により全体として矩形状に構成され、小ネジ等の離脱可能な締結具により各板材が組み付けられている。
【００１２】
ここで、外枠１１について図５を参照しつつ説明する。外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、外枠１１の右辺部には、後述する施錠装置６００の内枠鉤部６３７，６３８に対応して、上下一対の被係止部としての受け金具８３，８４が取付けられている。
【００１３】
さらに、外枠１１下部には、樹脂製の幕板飾り８５が取着されている。幕板飾り８５の上面奥部には、上方に突出するリブ８８が一体形成されている。これにより内枠１２との間に隙間が形成されにくくなっている。また、外枠１１の右辺部内側面には切欠き部８９が形成されている。この切欠き部８９は、内枠１２を閉状態とした際に、内枠１２の背面側に設けられた施錠装置６００等が外枠１２と接触するのを防止するためのものである。
【００１４】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００１５】
また、内枠１２の前面側には、前扉（第２扉体）としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１６】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１７】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００１８】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００１９】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００２０】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２１】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００２２】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００２３】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２４】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００２５】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２６】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００２７】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００２８】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００２９】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００３０】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００３１】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００３２】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００３３】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００３４】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００３５】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００３６】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００３７】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００３８】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００３９】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００４０】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００４１】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００４２】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００４３】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００４４】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００４５】
次に、裏パックユニット２０３の構成を説明する。裏パックユニット２０３は、樹脂成形された裏パック３５１と遊技球の払出機構部３５２とを一体化したものであり、本実施形態における後扉に相当する。
【００４６】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００４７】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００４８】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００４９】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００５０】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００５１】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００５２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００５３】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００５４】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００５５】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００５６】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００５７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００５８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００５９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００６０】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００６１】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００６２】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００６３】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００６４】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００６５】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００６６】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００６７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００６８】
次に、内枠１２の施錠機構、前面枠セット１４の施錠機構、及び裏パックユニット２０３の施錠機構について図１０乃至図１５を参照して説明する。本実施形態では、内枠１２は外枠１１に対し施錠され、前面枠セット１４及び裏パックユニット２０３は内枠１２に対し施錠される。これらの施錠機構は単一の施錠装置６００によって具現化されている。後述するように施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。ここで、図１０は、施錠装置６００の背面図であり、図１１は右側面図、図１２は左側面図、図１３は正面図である。また、図１４は、背面側から見た施錠装置６００の分解図であり、図１５は、側面側から見た施錠装置６００の分解図である。
【００６９】
施錠装置６００は、内枠１２の背面側左側辺部（図７左側）に沿って取付けられている。施錠装置６００の外郭を構成する縦長の基体としての基枠６０１は、内枠１２の背面部に固定される取付部としての取付板６０２と、当該取付板６０２の内枠１２内方側（窓孔３９側）の端縁から後方に突出した支持部としての支持板６０３と、取付板６０２の内枠１２外方側の端縁から後方に突出したフランジ部６０４とを備えており、これらが一体となって横断面略コ字状をなしている。なお、施錠装置６００を構成する基枠６０１などの各部材は、金属平板をプレス成形等することにより形成されている。
【００７０】
また、取付板６０２では、シリンダ錠７００の配置位置に対応する所定の上下区間が他部位より左右方向に幅広の幅広部６０２ａとなっており、支持板６０３では、前記幅広部６０２ａに対応する上下区間が内枠１２内方側へ膨出した膨出部６０３ａとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。
【００７１】
ここで、先ず前面枠セット１４の施錠機構及び裏パックユニット２０３の施錠機構に係る部分について説明する。基枠６０１の内側には、前記両施錠機構の主要構成部となる第１摺動杆６０５が上下方向に摺動可能なように配設されている。
【００７２】
第１摺動杆６０５は、取付板６０２に略当接状態で摺動する取付側壁部６０６と、支持板６０３に略当接状態で摺動する支持側壁部６０７とからなる横断面Ｌ字状の本体部６０８を備えている。
【００７３】
取付側壁部６０６は、シリンダ錠７００の取付けの妨げにならないように、シリンダ錠７００の配置位置に対応する所定の上下区間（上記取付板６０２の幅広部６０２ａに対応する所定の上下区間）が切り欠かれた状態となっている。
【００７４】
これに合わせて、支持板６０３の膨出部６０３ａに対応する支持側壁部６０７の所定の上下区間には、内枠１２内方側へ膨出した膨出部６０７ａが形成されている。但し、支持側壁部６０７の膨出部６０７ａの形成区間は、支持板６０３の膨出部６０３ａの形成区間よりも短く設定されており、第１摺動杆６０５の摺動の妨げとならないようになっている。
【００７５】
さて、第１摺動杆６０５には、その上部、中部及び下部の３箇所に、前面枠セット１４施錠用の前面枠セット鉤部６１０，６１１，６１２が設けられている。
【００７６】
前面枠セット鉤部６１０，６１１，６１２は、取付側壁部６０６の内枠１２外方側の端縁部から前方に向け延出した軸部６１０ａ，６１１ａ，６１２ａと、当該軸部６１０ａ，６１１ａ，６１２ａの前端側において前方へ先細りするように設けられた略三角形状の頭部６１０ｂ，６１１ｂ，６１２ｂとから構成されている。頭部６１０ｂ，６１１ｂ，６１２ｂの上端部は、軸部６１０ａ，６１１ａ，６１２ａより上方に突出しており、当該突出部分が係止部（係止爪）として機能する。従って、前面枠セット鉤部６１０，６１１，６１２は、自身の上側において後述する前面枠セット１４の受け金具１７に係止されることとなる。
【００７７】
また、取付側壁部６０６には、各前面枠セット鉤部６１０，６１１，６１２よりもやや上方位置において、上下方向に長い長円状のガイド孔６１３，６１４，６１５が形成されている。これらガイド孔６１３，６１４，６１５を介して、基枠６０１内側から取付板６０２に対しガイドピン６１６，６１７，６１８が固定されている。
【００７８】
さらに、第１摺動杆６０５には、支持側壁部６０７の後端縁部の上下２箇所において、裏パックユニット２０３施錠用の裏パック鉤部６２１，６２２が設けられている。
【００７９】
両裏パック鉤部６２１，６２２のうち上側の裏パック鉤部６２１は、上部の前面枠セット鉤部６１０と中部の前面枠セット鉤部６１１の間の高さ位置に設けられている。一方、下側の裏パック鉤部６２２は、中部の前面枠セット鉤部６１１と下部の前面枠セット鉤部６１２との間の高さ位置で、支持側壁部６０７の膨出部６０７ａ（シリンダ錠７００の配置位置）よりやや上方位置に設けられている。
【００８０】
各裏パック鉤部６２１，６２２についてより詳しく説明すると、裏パック鉤部６２１，６２２は、支持側壁部６０７の後端縁部から後方へ延出した基部６２１ａ，６２２ａと、当該基部６２１ａ，６２２ａからさらに後方へ延出した軸部６２１ｂ，６２２ｂと、当該軸部６２１ｂ，６２２ｂの後端側において後方へ先細りするように設けられた略三角形状の頭部６２１ｃ，６２２ｃとから構成されている。頭部６２１ｃ，６２２ｃの上端部は、軸部６２１ｂ，６２２ｂより上方に突出しており、当該突出部分が係止部（係止爪）として機能する。従って、裏パック鉤部６２１，６２２は、自身の上側において後述する裏パックユニット２０３の受け金具２０４に係止されることとなる。
【００８１】
裏パック鉤部６２１，６２２に対応して、支持板６０３の後端縁部には、後方へ延出した延出部６２５，６２６が形成されている。延出部６２５，６２６は、裏パック鉤部６２１，６２２の基部６２１ａ，６２２ａの摺動範囲ほぼ全域において、当該基部６２１ａ，６２２ａと重畳するように形成されており、基部６２１ａ，６２２ａと常時略当接状態で当該基部６２１ａ，６２２ａを支持している。なお、上側の裏パック鉤部６２１の基部６２１ａ及び支持板６０３の延出部６２５は、下側の裏パック鉤部６２２の基部６２２ａ及び支持板６０３の延出部６２６に比べて、上下方向の形成区間がより長めに設定されており、その下端部は、裏パック鉤部６２１の軸部６２１ｂ及び頭部６２１ｃの高さ位置より、かなり下方に位置している。これは、後述するように、上側の裏パック鉤部６２１の基部６２１ａの下部にコイルばねＣ１を掛けるためである。
【００８２】
また、延出部６２５，６２６には、各裏パック鉤部６２１，６２２より上方位置において、第１摺動杆６０５の後方への動きを規制する規制突起６２９，６３０が設けられている。規制突起６２９，６３０は、第１摺動杆６０５の取付状態の安定性を高める機能とともに、第１摺動杆６０５の摺動動作の安定性を高めるガイド部としての機能を備えている。従って、第１摺動杆６０５は、取付板６０２や規制突起６２９，６３０により前後方向への動きを規制され、かつ、上記ガイドピン６１６，６１７，６１８や後述する第２摺動杆６３５により左右方向への動きを規制されつつ、上下方向へ摺動できるようになっている。
【００８３】
さて、取付板６０２には、前面枠セット鉤部６１０，６１１，６１２に対応して、上下方向３箇所に矩形状の挿入孔６３１，６３２，６３３が形成されている。また、これら挿入孔６３１，６３２，６３３に対応する内枠１２の部位には、連通孔９７，９８，９９が形成されている（図６参照）。そして、これら挿入孔６３１，６３２，６３３及び連通孔９７，９８，９９を介して、前面枠セット鉤部６１０，６１１，６１２が内枠１２の前面側に突出している。これに対し、前面枠セット１４には、その背面側左側辺部（図４参照）に沿って被係止部としての長尺状の受け金具１７が取付けられている。受け金具１７には、前面枠セット鉤部６１０，６１１，６１２に対応して、上下方向３箇所に矩形状の係止孔１７ａ，１７ｂ，１７ｃが設けられている。
【００８４】
上記構成により、前面枠セット１４の施錠状態においては、前面枠セット鉤部６１０，６１１，６１２が前面枠セット１４の受け金具１７の係止孔１７ａ，１７ｂ，１７ｃを介して、受け金具１７の前面側にて係止され、前面枠セット１４の開放が規制される。
【００８５】
一方、裏パックユニット２０３には、その前面側右側辺（図４参照）に沿って、被係止部としての長尺状の受け金具２０４が取付けられている。受け金具２０４には、裏パック鉤部６２１，６２２に対応して、上下２箇所に矩形状の係止孔２０４ａ，２０４ｂが形成されている。
【００８６】
上記構成により、裏パックユニット２０３の施錠状態においては、裏パック鉤部６２１，６２２が、裏パックユニット２０３の受け金具２０４の係止孔２０４ａ，２０４ｂを介して、受け金具２０４の背面側にて係止され、裏パックユニット２０３の開放が規制される。
【００８７】
なお、第１摺動杆６０５の摺動範囲のうち、ガイド孔６１３，６１４，６１５の下縁部がガイドピン６１６，６１７，６１８に当接する位置が、前面枠セット鉤部６１０，６１１，６１２及び裏パック鉤部６２１，６２２がそれぞれ対応する被係止部（受け金具１７及び受け金具２０４）に係止される位置となる。以下、この位置を、第１摺動杆６０５の係止位置（基準位置）とも称する。これに対し、ガイド孔６１３，６１４，６１５の上縁部がガイドピン６１６，６１７，６１８に当接する位置が、前面枠セット鉤部６１０，６１１，６１２及び裏パック鉤部６２１，６２２が各被係止部（受け金具１７及び受け金具２０４）から離脱する位置となる。以下、この位置を、第１摺動杆６０５の非係止位置とも称する。
【００８８】
次に、内枠１２の施錠機構に係る部分について説明する。基枠６０１の内側には、第２摺動杆６３５が上下方向に摺動可能なように配設されている。
【００８９】
第２摺動杆６３５は、第１摺動杆６０５の支持側壁部６０７に重畳するように配設された長尺状の本体部６３６と、内枠１２施錠用の上下一対の内枠鉤部６３７，６３８とを備えている。本実施形態では、内枠鉤部６３７，６３８は第２摺動杆６３５と一体的に形成されている。尚、本実施形態では、内枠鉤部６３７，６３８、第２摺動杆６３５が施錠部材を構成することとなる。
【００９０】
支持板６０３の膨出部６０３ａ（支持側壁部６０７の膨出部６０７ａ）に対応する本体部６３６の所定の上下区間には、同様に内枠１２内方側へ膨出した膨出部６３６ａが形成されている。但し、本体部６３６の膨出部６３６ａの形成区間は、支持側壁部６０７の膨出部６０７ａの形成区間よりも短く設定されており、第２摺動杆６３５の摺動の妨げとならないようになっている。
【００９１】
両内枠鉤部６３７，６３８のうち上側の内枠鉤部６３７は、上側の前面枠セット鉤部６１０のやや下方位置でかつ上側の裏パック鉤部６２１より上方位置に設けられている。一方、下側の内枠鉤部６３８は、下側の前面枠セット鉤部６１２のやや下方位置でかつ本体部６３６の下端部において設けられている。
【００９２】
内枠鉤部６３７，６３８は、本体部６３６の後端縁部より後方へ延出した基部６３７ａ，６３８ａと、当該基部６３７ａ，６３８ａの後端側において後方へ先細りするように設けられた略三角形状の頭部６３７ｂ，６３８ｂとから構成されている。頭部６３７ｂ，６３８ｂの下端部は、基部６３７ａ，６３８ａより下方に突出しており、当該突出部分が後述するように係止部（係止爪）として機能する。従って、内枠鉤部６３７，６３８は、自身の下側において上記外枠１１の受け金具８３，８４に係止されることとなる。
【００９３】
内枠鉤部６３７，６３８に対応して、支持板６０３の後端縁部には、後方へ延出した延出部６４１，６４２が形成されている。延出部６４１，６４２は、内枠鉤部６３７，６３８の基部６３７ａ，６３８ａの摺動範囲ほぼ全域において、当該基部６３７ａ，６３８ａと重畳するように形成されており、基部６３７ａ，６３８ａと常時略当接状態で当該基部６３７ａ，６３８ａを支持している。なお、延出部６４１，６４２は、内枠鉤部６３７，６３８の基部６３７ａ，６３８ａと略当接状態となるように、上記第１摺動杆６０５の厚み分を考慮し、その付根部において支持板６０３と段差をもって形成されている。
【００９４】
内枠鉤部６３７，６３８の基部６３７ａ，６３８ａには、上下方向に長い長円状のガイド孔６４３，６４４が形成されている。これらガイド孔６４３，６４４を介して、基枠６０１内側（内枠１２外方側）から延出部６４１，６４２に対しガイドピン６４５，６４６が固定されている。
【００９５】
また、第１摺動杆６０５の取付側壁部６０６には、上下方向３箇所において、第２摺動杆６３５の内枠１２外方側への動きを規制する規制突起６４７，６４８，６４９が設けられている。規制突起６４７，６４８，６４９は、第２摺動杆６３５の内側面（内枠１２外方面）と略当接して、該第２摺動杆６３５の取付状態及び摺動動作の安定性を高める機能を具備する。従って、第２摺動杆６３５は、第１摺動杆６０５の支持側壁部６０７や規制突起６４７，６４８，６４９により左右方向への動きを規制され、かつ、第１摺動杆６０５の取付側壁部６０６や支持板６０３の後端縁部に設けられたフランジ部６５１，６５２により前後方向への動きを規制されつつ、上下方向へ摺動できるようになっている。
【００９６】
なお、第２摺動杆６３５の摺動範囲のうち、ガイド孔６４３，６４４の上縁部がガイドピン６４５，６４６に当接する位置が、内枠鉤部６３７，６３８が受け金具８３，８４に係止される位置となる。以下、この位置を、第２摺動杆６３５の係止位置（基準位置）と称する。これに対し、ガイド孔６４３，６４４の下縁部がガイドピン６４５，６４６に当接する位置が、内枠鉤部６３７，６３８が受け金具８３，８４から離脱した位置となる。以下、この位置を、第２摺動杆６３５の非係止位置とも称する。
【００９７】
上記構成により、内枠１２の施錠状態においては、外枠１１の内側に固定された受け金具８３，８４に対して内枠鉤部６３７，６３８が係止され、内枠１２の開放が規制される。
【００９８】
さて、第１摺動杆６０５及び第２摺動杆６３５は、付勢手段としてのコイルばねＣ１により、それぞれ上方又は下方へ付勢されている。より詳しくは、第２摺動杆６３５における本体部６３６の後端縁部には、第１摺動杆６０５における上側の裏パック鉤部６２１の基部６２１ａ及び支持板６０３の延出部６２５の形成位置に対応して、後方に向け延出した延出部６５０が形成されている。そして、この延出部６５０に設けられたフック部６５３にコイルばねＣ１の一端が掛けられるとともに、他端が第１摺動杆６０５（裏パック鉤部６２１の基部６２１ａ）に設けられたフック部６５４に掛けられている。
【００９９】
上記コイルばねＣ１の引張力によって、通常時には、第１摺動杆６０５は、ガイド孔６１３，６１４，６１５の下縁部がガイドピン６１６，６１７，６１８に付勢される位置、つまり基準位置において下方への動作が抑えられた状態で保持されている。一方、第２摺動杆６３５は、ガイド孔６４３，６４４の上縁部がガイドピン６４５，６４６に付勢される位置、つまり基準位置において上方への動作が抑えられた状態で保持されている。そして、後述するシリンダ錠７００が操作された場合には、コイルばねＣ１の引張力に抗して、第１摺動杆６０５が下方へ、又は第２摺動杆６３５が上方へ摺動変位する。
【０１００】
さて、取付板６０２の幅広部６０２ａには、操作部材としてのシリンダ錠７００が取付けられている。シリンダ錠７００は、取付板６０２の背面に当接状態で固定されるフランジ部７０５と、フランジ部７０５から前方に向けて取付板６０２を貫通して延び、鍵穴を有する略筒状のシリンダ本体７０１と、図示しない錠軸に取付けられ、鍵穴に挿入された鍵の回動動作を第１摺動杆６０５又は第２摺動杆６３５に伝達するカム板７２０が固定されている。
【０１０１】
図１６に示すように、カム板７２０は、上下一対の上係合爪７２０ａ及び下係合爪７２０ｂを備えている。これらの係合爪７２０ａ，７２０ｂは、カム板７２０の回動方向に所定間隔を置いて形成されている。
【０１０２】
これに合わせて、第１摺動杆６０５の膨出部６０７ａには、係合爪７２０ａ，７２０ｂが係合可能な上下一対の上係合孔７２５及び下係合孔７２６が形成されている。同様に、第２摺動杆６３５の膨出部６３６ａには、係合爪７２０ａ，７２０ｂが係合可能な上下一対の上係合孔７２７及び下係合孔７２８が形成されている。また、支持板６０３には、係合爪７２０ａ，７２０ｂの動作を妨げないように透孔７３０が形成されている。
【０１０３】
第１摺動杆６０５の係合孔７２５，７２６及び第２摺動杆６３５の係合孔７２７，７２８は、第１摺動杆６０５及び第２摺動杆６３５の重畳状態にあっては、少なくとも上係合孔７２５，７２７同士、及び、下係合孔７２６，７２８同士が連通状態となっている（図１６（ａ）参照）。
【０１０４】
また、第１摺動杆６０５側では、両係合孔７２５，７２６のうち上係合孔７２５よりも下係合孔７２６の方が、上下方向の形成区間が長めに設定されている。これに対し、第２摺動杆６３５側では、両係合孔７２７，７２８のうち下係合孔７２８よりも上係合孔７２７の方が、上下方向の形成区間が長めに設定されている。これは、後述するように第１摺動杆６０５又は第２摺動杆６３５の一方をカム板７２０が摺動させる際に、他方に上係合爪７２０ａ又は下係合爪７２０ｂを接触させないようにして、他方を摺動させないようにするためである。
【０１０５】
次に、施錠装置６００の作用について詳しく説明する。先ず前面枠セット１４の施錠及び解錠について詳しく説明する。前面枠セット１４の施錠状態においては、第１摺動杆６０５が基準位置（係止位置）をとることにより、前面枠セット鉤部６１０，６１１，６１２が前面枠セット１４の受け金具１７の係止孔１７ａ，１７ｂ，１７ｃを介して、受け金具１７の前面側にて係止され、前面枠セット１４の開放が規制されている。
【０１０６】
そして、前面枠セット１４を解錠する際には、シリンダ錠７００の鍵穴に鍵を挿入し、パチンコ機１０の正面側（図１参照）から見て反時計回り方向に回動させる（キー操作する）。これにより、カム板７２０が同方向に回動して、上係合爪７２０ａが第１摺動杆６０５の上係合孔７２５の下縁部に接触する（図１６（ｂ）参照）。但し、図１６（ｂ）は、パチンコ機１０の背面側から見た図であるため、カム板７２０の回動方向は時計回り方向となっている。
【０１０７】
その後、さらにカム板７２０を回動させていくに従って、上係合爪７２０ａがコイルばねＣ１の引張力に抗して第１摺動杆６０５を下方へ押し下げていく。同時に、下係合爪７２０ｂは第１摺動杆６０５及び第２摺動杆６３５に作用を及ぼすことなく、両下係合孔７２６，７２８から離脱する。この際、上係合爪７２０ａが挿通された第２摺動杆６３５の上係合孔７２７の下部には、上係合爪７２０ａが下方へ変位するスペースが確保されているため、第１摺動杆６０５を押し下げていく過程において、上係合爪７２０ａが第２摺動杆６３５に当接せず、その動作が妨げられないようになっている。
【０１０８】
第１摺動杆６０５が下方へ摺動すると、すべての前面枠セット鉤部６１０，６１１，６１２と、受け金具１７との係合が解除され、前面枠セット１４の開放が許容される。また、前面枠セット１４が開放された時点で、鍵を操作する手の力を緩めると、コイルばねＣ１の引張力により、第１摺動杆６０５は上方へ引き上げられ、基準位置に復帰する。これに伴い、カム板７２０（錠軸）も基準位置に復帰する。
【０１０９】
次に内枠１２の施錠及び解錠について詳しく説明する。内枠１２の施錠状態においては、第２摺動杆６３５が基準位置（係止位置）をとることにより、内枠鉤部６３７，６３８が外枠１１の受け金具８３，８４に係止され、内枠１２の開放が規制されている。
【０１１０】
そして、内枠１２を解錠する際には、シリンダ錠７００の鍵穴に鍵を挿入し、パチンコ機１０の正面側から見て時計回り方向に回動させる。これにより、カム板７２０が同方向に回動して、下係合爪７２０ｂが第２摺動杆６３５の下係合孔７２８の上縁部に接触する（図１６（ｃ）参照）。但し、図１６（ｃ）は、パチンコ機１０の背面側から見た図であるため、カム板７２０の回動方向は反時計回り方向となっている。
【０１１１】
その後、さらにカム板７２０を回動させていくに従って、下係合爪７２０ｂがコイルばねＣ１の引張力に抗して第２摺動杆６３５を上方へ押し上げていく。同時に、上係合爪７２０ａは第１摺動杆６０５及び第２摺動杆６３５に作用を及ぼすことなく、両上係合孔７２５，７２７から離脱する。この際、下係合爪７２０ｂが挿通された第１摺動杆６０５の下係合孔７２６の上部には、下係合爪７２０ｂが上方へ変位するスペースが確保されているため、第２摺動杆６３５を押し上げていく過程において、下係合爪７２０ｂが第１摺動杆６０５に当接せず、その動作が妨げられないようになっている。
【０１１２】
第２摺動杆６３５が上方へ摺動すると、内枠鉤部６３７，６３８と、受け金具８３，８４との係合が解除され、内枠１２の開放が許容される。また、内枠１２が開放された時点で、鍵を操作する手の力を緩めると、コイルばねＣ１の引張力により、第２摺動杆６３５は下方へ引き上げられ、基準位置に復帰する。これに伴い、カム板７２０（錠軸）も基準位置に復帰する。
【０１１３】
次に、裏パックユニット２０３の施錠及び解錠について詳しく説明する。裏パックユニット２０３の施錠状態においては、前面枠セット１４の場合と同様に、第１摺動杆６０５が基準位置（係止位置）をとることにより、裏パック鉤部６２１，６２２が裏パックユニット２０３の受け金具２０４の係止孔２０４ａ，２０４ｂを介して、受け金具２０４の背面側にて係止され、裏パックユニット２０３の開放が規制されている。
【０１１４】
そして、裏パックユニット２０３を解錠する際には、内枠１２を開放させた後、前面枠セット１４の場合と同様にシリンダ錠７００の鍵穴に挿入した鍵をパチンコ機１０の正面側から見て反時計回り方向に回動させる。これにより、カム板７２０が同方向に回動して、上係合爪７２０ａが第１摺動杆６０５の上係合孔７２５の下縁部に接触する。その後、さらにカム板７２０を回動させていくに従って、上係合爪７２０ａがコイルばねＣ１の引張力に抗して第１摺動杆６０５を下方へ押し下げていくと、裏パック鉤部６２１，６２２と受け金具２０４との係合が解除され、裏パックユニット２０３の開放が許容される。
【０１１５】
さて、本実施形態では、外部からの電力供給が停止された状態において、内枠１２及び前面枠セット１４（裏パックユニット２０３）の開放が規制されるよう構成されている。以下、かかる構成について図面を参照しつつ説明する。尚、図１７は取付板６０２の前面に取付けられる施錠ソレノイド４１１の周辺部を示す斜視図である。図１８はプランジャー４１２が没入した状態にある施錠ソレノイド４１１の周辺部を示す拡大図である。図１９はプランジャー４１２が突出した状態にある施錠ソレノイド４１１の周辺部を示す拡大図である。
【０１１６】
図１３、図１４等に示すように、取付板６０２には、上部の前面枠セット鉤部６１０と中部の前面枠セット鉤部６１１との間において前後方向に貫通する摺動用孔４０１が支持板６０３の内側面に沿って形成されている。
【０１１７】
図１５、図１７等に示すように、摺動用孔４０１には、第１摺動杆６０５の支持側壁部６０７から前方に延びる第１支持片部４０２、及び、第２摺動杆６３５から前方に延びる第２支持片部４０３が挿通されている。また、第１支持片部４０２及び第２支持片部４０３には、左右方向に貫通する第１係合孔４０４及び第２係合孔４０５が形成されている。シリンダ錠７００のキー操作（操作部材の解錠操作）が行われていないときには、第１係合孔４０４及び第２係合孔４０５が左右方向に連通した状態となっている。
【０１１８】
摺動用孔４０１の上下幅は、第１支持片部４０２及び第２支持片部４０３の上下幅よりも大きくなっており、第１摺動杆６０５及び第２摺動杆６３５の上下方向の摺動を妨げないように構成されている。つまり、摺動用孔４０１には、第１支持片部４０２の下方において第１摺動杆６０５の下方への摺動に伴う第１支持片部４０２の変位を許容するスペースが確保されるとともに、第２支持片部４０３の上方において第２摺動杆６３５の上方への摺動に伴う第２支持片部４０３の変位を許容するスペースが確保されている。尚、取付側壁部６０６は、第１摺動杆６０５及び第２摺動杆６３５の上下方向の摺動を妨げないように、第１支持片部２０２の上方及び下方（本例の構成では上方だけでも可）に対応する部位が切り欠かれている（図１４、図１５参照）。
【０１１９】
図１８等に示すように、パチンコ機１０の前面側から見て第１支持片部４０２及び第２支持片部４０３の右側方においては、駆動部としてのプランジャー４１２が下方に突出するような向きで施錠ソレノイド４１１が取付板６０２の前面に対し取付固定されている。本実施形態における施錠ソレノイド４１１は、電力が供給されて励磁状態とされることでプランジャー４１２がソレノイド本体に没入し（プランジャー４１２の突出長が短くなる）、電力供給が停止されて非励磁状態とされることでプランジャー４１２がソレノイド本体から突出する（プランジャー４１２の突出長が長くなる）タイプのものを採用している。尚、施錠ソレノイド４１１の内部には、プランジャー４１２に対して突出させる方向に力を加えるばねが設けられており、停電時には、かかるばねの働きによって、プランジャー４１２がソレノイド本体から大きく突出した状態とされる。
【０１２０】
尚、図９に示すように、施錠ソレノイド４１１は電源部５４１と電気的に直接接続されている。つまり、電源部５４１に対して外部から電力が供給されると、施錠ソレノイド４１１に対して直ちに＋１２Ｖ電源が供給され、施錠ソレノイド４１１が直ちに励磁状態とされる。一方、電源部５４１への電力供給が停止されると、施錠ソレノイド４１１が直ちに非励磁状態とされる。
【０１２１】
施錠ソレノイド４１１の下方には、可動部材４２１が取付板６０２の前面に対して回動可能に設けられている。可動部材４２１は、左右方向に延び、プランジャー４１２の先端部と当接可能な第１片部４２３と、パチンコ機１０の前面側から見て第１片部４２３の左端部から第１片部４２３と４５度の角度をなすようにして下向き（図１８では右下方）に延びる第２片部４２４と、第２片部４２４の先端部から第２片部４２４と直交するようにして内枠１２内方側（図１８では左下方）に突出する挿通部４２５と、挿通部４２５の先端部から挿通部４２５と直交するようにして上側（図１８では左上方）に突出する状態維持手段としての爪部４２６とを備えている。第１片部４２３と第２片部４２４との境界部には前後方向に貫通する回動孔４２８が形成されており、かかる回動孔４２８に挿通状態とされた摺動突起４２９が、没入状態にあるプランジャー４１２の左下方（没入状態にあるプランジャー４１２の先端部よりも下方かつ内枠１２内方側）にあたる部位において取付板６０２前面に固定されている。
【０１２２】
また、可動部材４２１の第１片部４２３と施錠ソレノイド４１１（施錠ソレノイド４１１を取付板６０２に取付固定するための固定金具）との間にかけてコイルばねＣ３が設けられている。これにより、プランジャー４１２の出没状態によらず、基本的に第１片部４２３とプランジャー４１２とが常に当接状態とされる。尚、プランジャー４１２に作用する力の関係としては、励磁状態における施錠ソレノイド４１１の保持力が一番強く、次に施錠ソレノイド４１１に内蔵されたばねの弾性力（押出す力）が強く、コイルばねＣ３による引っ張り力が最も弱いこととする。
【０１２３】
本実施形態では、図１８に示すように、プランジャー４１２の没入状態においては、第１片部４２３がほぼ水平に延びた状態となる。この状態においては、挿通部４２５及び爪部４２６が第２支持片部４０３よりも内枠１２外方側（図１８では右側）に位置し、該挿通部４２５及び爪部４２６が第１及び第２係合孔４０４、４０５に挿通されていない状態となっている。
【０１２４】
これに対し、図１９に示すように、プランジャー４１２の突出状態においては、第１片部４２３がプランジャー４１２に押され、第１片部４２３の右端部が下方に傾くようにして、図１８の状態から時計回りに約４５度回動した状態となる。この状態においては、挿通部４２５がほぼ水平に延びた状態となり、かかる挿通部４２５が第１係合孔４０４及び第２係合孔４０５に挿通状態となる。さらには、爪部４２６が第１支持片部４０２よりも内枠１２内方側（図１９では右側）に位置することとなる。
【０１２５】
尚、本実施形態では、施錠ソレノイド４１１、可動部材４２１、及びコイルばねＣ３によって開放規制手段が構成され、施錠ソレノイド４１１及びコイルばねＣ３によって駆動手段が構成される。また、プランジャー４１２が没入状態となり、可動部材４２１の挿通部４２５が第１係合孔４０４及び第２係合孔４０５から抜け出ている状態が開放規制手段の第１の状態に相当し、没入状態のプランジャー４１２と第１片部４２３とが当接した状態にあるときの可動部材４２１の位置（姿勢）が第１の位置に相当する。さらに、プランジャー４１２が突出状態となり、可動部材４２１の挿通部４２５が第１及び第２係合孔４０４、４０５に挿通されている状態が開放規制手段の第２の状態に相当し、突出状態にあるプランジャー４１２と第１片部４２３とが当接した状態にあるときの可動部材４２１の位置（姿勢）が第２の位置に相当する。
【０１２６】
加えて、挿通部４２５が第１及び第２係合孔４０４、４０５に挿通された図１９に示す状態において爪部４２６の上方にあたる部位には、取付板６０２から前方に突出し、爪部４２６と当接可能な状態維持手段としての回動規制突起４３１が設けられている。つまり、可動部材４２１が図１９に示す状態（挿通部４２５がほぼ水平に延びた状態）からさらに時計回り方向に回動しようとしても、爪部４２６が回動規制突起４３１と当接し、それ以上の回動が規制されることとなる。これにより、挿通部４２５が第１及び第２係合孔４０４、４０５に挿通された状態において、例えば、第２摺動杆６３５に対して上方に力を加えることで、第２係合孔４０５の下縁部が挿通部４２５の下辺部と当接し、挿通部４２５が上方に押される場合であっても、爪部４２６が回動規制突起４３１に当接するため、可動部材４２１の回動が規制されることとなる。
【０１２７】
図３、図４に示すように、内枠１２及び前面枠セット１４の各右側部（図３では手前側の側部）には、施錠ソレノイド４１１、可動部材４２１、第１支持片部４０２、及び第２支持片部４０３（以下、これらの部材をまとめて開放規制機構と称する）に対応して、前後方向に貫通する設置用孔部４４１、及び前方に凹んでなる収容凹部４４２が形成されている。施錠装置６００の取付状態においては、開放規制機構が設置用孔部４４１を介して、収容凹部４４２内に収容される。
【０１２８】
設置用孔部４４１及び収容凹部４４２は、施錠ソレノイド４１１、可動部材４２１、及び、取付板６０２に形成された摺動用孔４０１を覆うことのできるような大きさとなっており、第１摺動杆６０５及び第２摺動杆６３５の摺動を妨げないようになっている。また、その横幅は取付板６０２の横幅とほぼ同じくなっており、施錠装置６００の取付状態においては、設置用孔部４４１が取付板６０２によってほぼ完全に覆われた状態となる。つまり、設置用孔部４４１と取付板６０２との間に隙間がほとんどないことから、施錠装置６００の取付状態においては、施錠ソレノイド４１１や可動部材４２１に対して接触を図ることが困難又は不可能となっている。
【０１２９】
次に、電源のオン・オフに伴う施錠ソレノイド４１１等の動きについて、図面を参照しつつ説明する。尚、遊技ホールには多数の遊技機が設置されているため、一般に、各遊技機の電源スイッチは常にオンの状態にしておき、ホールの集中電源（配電盤）でまとめて電源のオン・オフを切替えるようになっている。つまり、配電盤の電源スイッチがオンの状態とされることで各遊技機が起動し、配電盤の電源スイッチがオフの状態とされることで各遊技機の電源が落とされることとなる。
【０１３０】
パチンコ機１０に電力が供給されると、施錠ソレノイド４１１が励磁状態とされてプランジャー４１２が没入状態となる。このとき、コイルばねＣ３の付勢力により可動部材４２１が図１９の状態から図１８の状態へと反時計回りに回動し、挿通部４２５が第１係合孔４０４及び第２係合孔４０５から抜け出すこととなる。これにより、第１支持片部４０２及び第２支持片部４０３（第１係合孔４０４及び第２係合孔４０５の周縁部）と可動部材４２１の挿通部４２５とが当接しなくなることから、第１摺動杆６０５及び第２摺動杆６３５を摺動させることができる状態となる。このため、上述したように、シリンダ錠７００のキー操作に応じて、前面枠セット１４（裏パックユニット２０３）又は内枠１２が解錠されることとなる。
【０１３１】
一方、パチンコ機１０への電力供給が停止されると、施錠ソレノイド４１１が非励磁状態とされてプランジャー４１２が突出状態となる。このとき、可動部材４２１がプランジャー４１２に押され、コイルばねＣ３に抗して図１８の状態から図１９の状態へと時計回りに回動し、挿通部４２５が第１及び第２係合孔４０４，４０５に挿通状態とされる。
【０１３２】
このように挿通部４２５が第１及び第２係合孔４０４，４０５に挿通された状態においては、第１摺動杆６０５を下方に摺動させようとしても、第１係合孔４０４の上縁部が可動部材４２１の挿通部４２５と当接することによって、その摺動が規制されることとなる。また、第２摺動杆６３５を上方に摺動させようとしても、第２係合孔４０５の下辺部が挿通部４２５の下辺部と当接することによって、その摺動が規制されることとなる。
【０１３３】
ちなみに、挿通部４２５が第１係合孔４０４の上縁部によって下方に押される場合には、可動部材４２１に対して図１９の反時計回り方向に力が加えられるのではあるが、爪部４２６が第１支持片部４０２の左側面（内枠１２内方側の面）に引っ掛かるため、その回動が規制されることとなる。また、挿通部４２５が第２係合孔４０５の下辺部によって上方に押される場合には、可動部材４２１に対して図１９の時計回り方向に力が加えられるのではあるが、爪部４２６が回動規制突起４３１に当接することで、その回動が規制されることとなる。
【０１３４】
以上詳述したように、本実施形態では、パチンコ機１０への電力供給が停止された状態においては、第１及び第２支持片部４０２、４０３に形成された第１及び第２係合孔４０４、４０５に対し挿通部４２５が挿通状態とされる。これにより、第１摺動杆６０５及び第２摺動杆６３５の摺動が規制され、前面枠セット鉤部６１０，６１１，６１２、裏パック鉤部６２１，６２２、及び内枠鉤部６３７，６３８の非係止位置側への変位が規制される。このため、電力供給が停止された状態、例えば夜間等の営業時間外において、パチンコ機１０内部に侵入させた線材等を内枠鉤部６３７，６３８等に引っ掛けて直接力を加えたり、不正に入手した合鍵を使用したりしても、施錠状態にある内枠１２及び前面枠セット１４（裏パックユニット２０３）を解錠状態とすることができないようになっている。従って、制御機器が不正に交換される等のパチンコ機１０内部に対する不正行為が行われたことに気付かずに、その状態で遊技が行われてしまい、遊技ホールが多大な損害を被ってしまうといった事態を防止することができ、結果として、内枠１２及び前面枠セット１４（裏パックユニット２０３）の不正開放に対する防御性能を高めることができる。
【０１３５】
また、例えば、第１及び第２係合孔４０４、４０５に対し施錠ソレノイドのプランジャーを直接挿通させることでも第１摺動杆６０５及び第２摺動杆６３５の摺動を規制できるのではあるが、この場合には、電力供給が停止された状態において第１摺動杆６０５や第２摺動杆６３５を無理に変位させようとする際に、プランジャーに対して直接負荷がかけられてしまうため、プランジャーが変形したり、施錠ソレノイドが故障したりするおそれがある。この点、本実施形態によれば、施錠ソレノイド４１１とは別に設けられた可動部材４２１の挿通部４２５を第１及び第２係合孔部４０４，４０５に挿通していることから、施錠ソレノイド４１１の変形や損傷を防止することができる。結果として、市販品のソレノイドを改良することなくほぼそのまま搭載することができ、コストの削減、生産性の向上等を図ることができる。
【０１３６】
さらに、本実施形態では、施錠ソレノイド４１１及び可動部材４２１が取付板６０２の前面に設けられおり、施錠装置６００を内枠１２から取外さない限り、施錠ソレノイド４１１及び可動部材４２１が接触不可能又は接触困難となっている。従って、パチンコ機１０内部に侵入させた線材等により直接施錠ソレノイド４１１や可動部材４２１に対して力をかけて、施錠ソレノイド４１１を没入状態とさせてしまうといった不正行為を抑止することができる。
【０１３７】
なお、上述した実施形態の記載内容に限定されず、例えば次のように実施してもよい。
【０１３８】
（ａ）上記実施形態では、電力供給が停止されると、施錠ソレノイド４１１のプランジャー４１２が突出し、該プランジャー４１２に押されて可動部材４２１が回動し、挿通部４２５が第１及び第２係合孔４０５に挿通状態とされることで、内枠１２及び前面枠セット１４（裏パックユニット２０３）の開放が規制される構成となっているが、特にこのような構成に限定されるものではない。すなわち、電力供給が停止された状態において少なくとも内枠１２の開放が規制される構成となっていればよく、例えば、第１支持片部４０２や爪部４２６を省略することも可能である（この場合、電力供給が停止された状態においてもシリンダ錠７００のキー操作を行うことで前面枠セット１４及び裏パックユニット２０３を開放することができる）。
【０１３９】
例えば、プランジャー４１２が内枠１２内方側に突出するようにして横向きに施錠ソレノイド４１１を設け、プランジャー４１２の先端部を第１及び第２係合孔４０４，４０５に挿通することで、内枠１２及び前面枠セット１４の開放を規制する構成としてもよい。この場合、第１及び第２係合孔４０４，４０５に挿通される部材であるプランジャー４１２の出没方向と、第１摺動杆６０５及び第２摺動杆６３５の摺動方向とがほぼ直交することとなる。このため、第１及び第２支持片部４０２，４０３（第１及び第２係合孔４０４，４０５の周縁部）に押されることで、プランジャー４１２が没入状態となってしまい、第１摺動杆６０５及び第２摺動杆６３５の摺動が許容される状態となってしまうといった事態を防止することができる。従って、不正解錠に対する防御性能を高めるといった作用効果が確実に奏される。
【０１４０】
また、例えば、図２０に示すように、取付板６０２の背面に対し、上記実施形態の施錠ソレノイド４１１と同タイプ（パチンコ機１０の起動時には励磁されてプランジャー８０２が没し、電源断時には内蔵されたバネの働きでプランジャー８０２が突出する）の施錠ソレノイド８０１をプランジャー８０２が施錠装置６００の右辺部（図２０では左側端縁）から出没するようにして設け、当該プランジャー４１２の先端部を外枠１１の内側面に形成された凹部８０５に挿入状態（図２０の二点鎖線で示した状態）とすることで、内枠１２の開放を規制する構成としてもよい。この場合、電力供給が停止された状態においては、パチンコ機１０内部に侵入させた線材等を内枠鉤部６３７，６３８に引っ掛けて直接力を加えたり、不正に合鍵等を入手してシリンダ錠７００のキー操作を行ったりすることで、内枠鉤部６３７，６３８を非係止位置側（上側）に変位させた（すなわち内枠１２を解錠した）としても閉鎖状態にある内枠１２を開放できないようになる。従って、基本的に上記実施形態と同様の作用効果が奏されることとなる。尚、耐久性等の観点からすると、凹部８０５（外枠１１）に対してプランジャー８０２を直接係合させるよりも、プランジャー８０２の先端部に別部材としての係合部を固定したり、プランジャー８０２に連動する連動部材を設けたりして、前記係合部や連動部材を凹部８０５に係合させる方が望ましい。
【０１４１】
尚、施錠ソレノイドを外枠１１側に設けてもよい。すなわち、外枠１１に対し、施錠ソレノイドをプランジャーが外枠１１の内側面から出没するようにして設け、当該プランジャーの先端部を内枠１２の側面又は背面側に設けられた凹部に挿入状態とすることで、内枠１２の開放を規制する構成としてもよい。
【０１４２】
さらに、上記実施形態におけるソレノイド４１１及び可動部材４２１に代えて、例えば、図２１（ａ）、（ｂ）に示すような構成を採用してもよい。より詳しく説明すると、取付板６０２の前面に設けられ、電力供給が停止された場合にプランジャー８１２が上方に突出することとなる上記実施形態の施錠ソレノイド４１１と同タイプの施錠ソレノイド８１１の上方位置には、パチンコ機１０の前面側から見て左側に凸となる複数の歯を有するラック部材８１３が上下方向に摺動可能に設けられている。ラック部材８１３は施錠ソレノイド４１１のプランジャー４１２の先端部に固定されており、プランジャー４１２が出没することで、ラック部材８１３が上下に摺動することとなる。ラック部材８１３には上下に長いガイド孔８１４が形成されており、該ガイド孔８１４に対し、取付板６０２前面に固定されるガイド突起８１５が係合状態で挿通されている。
【０１４３】
また、パチンコ機１０の前面側から見てラック部材８１３の左方には、ラック部材８１３と噛み合う複数の歯を有するピニオン部材８２１が取付板６０２前面に対して回動可能に設けられている。ピニオン部材８２１は、同一の軸に固定された大きさの異なる２つの歯車が前後に重ねられることで構成されており、２つの歯車のうち後方に位置して取付板６０２前面と略当接状態とされる大車部８２２と、大車部８２２の前面側（図２１では手前側）に固定され、大車部８２２よりも直径が小さくかつ歯数が少ない小車部８２３とを備えている。本実施形態では、ピニオン部材８２１は、小車部８２３においてラック部材８１３と噛み合うように設計されている。
【０１４４】
さらに、ピニオン部材８２１の上方には、可動部材としての係合部８３１が左右方向に摺動可能に設けられている。係合部８３１には左右に長いガイド孔８３２が形成されており、該ガイド孔８３２に対し、取付板６０２の前面に固定されるガイド突起８３３が係合状態で挿通されている。また、係合部８３１は、その下辺部において大車部８２２と噛み合う複数の歯を有している。このため、係合部８３１はピニオン部材８２１が回動することで左右方向に摺動することとなる。
【０１４５】
より詳しくは、上記のように、ピニオン部材８２１は、施錠ソレノイド４１１のプランジャー８１２に接続されたラック部材８１３と噛み合っており、図２１（ａ）に示すように、プランジャー８１２が上方に突出した場合には、ピニオン部材８２１が同図の反時計回り方向に回動するとともに、係合部８３１が左方に摺動する。その一方で、図２１（ｂ）に示すように、プランジャー８１２が下方に没入した場合には、ピニオン部材８２１が同図の時計回り方向に回動するとともに、係合部８３１が右方に摺動する。尚、ラック部材８１３及び係合部８３１は互いの摺動を妨げないよう構成されることとする。
【０１４６】
そして、図２１（ａ）に示すようなプランジャー４１２が突出した状態において、係合部８３１が第１及び第２係合孔４０４、４０５に挿通状態とされるよう構成する。以上のような構成を採用する場合にも、上記実施形態と同様の作用効果が奏される。尚、係合部８３１の上辺部や下辺部と摺接可能な支持突起を設けることとしてもよい。この場合、支持突起によって、係合部８３１の摺動がガイドされるとともに、第１及び第２係合孔４０４、４０５の上縁部や下縁部と当接した際に係合部８３１を支持することができ、係合部８３１の変形等を防止することができる。尚、電源断時において係合部８３１をよりスムースに第１及び第２係合孔４０４、４０５へ挿通させるべく、係合部８３１に対して図２１（ａ）、（ｂ）の左側に力を加える弾性体（バネ等）を設けたり、ラック部材８１３に対して上方に力を加える弾性体を設けたりしてもよい。
【０１４７】
また、例えば、施錠ソレノイド４１１として永久磁石を内蔵し、停電してもプランジャー４１２がそのままの位置で保持されるソレノイドを採用してもよい。この場合、プランジャー４１２を突出させるための回路と、プランジャー４１２を没入させるための回路とを備え、どちらの回路に電力を供給するかといった切替え制御を行うことで、プランジャー４１２を出没させる。つまり、パチンコ機１０の起動時にはプランジャー４１２を突出させるための回路に電力を供給し、電源断時（電源スイッチをオフする際と停電時）には、プランジャー４１２を没入させるための回路に電力を供給し（蓄電手段を設けて電力供給してもよい）、プランジャー４１２を没入させてから、施錠ソレノイド４１１への電力供給が完全に断たれることとしてもよい。
【０１４８】
また、施錠ソレノイド４１１とは別に、停電時にプランジャー４１２の位置を保持することのできるロック機構を設けることとしてもよい。例えば、施錠ソレノイド４１１のプランジャー４１２の先端部に孔を形成するとともに、ソレノイド等によってスライド可能に構成され、電源断時にかかる孔に挿入される規制片を設けることとしてもよい。
【０１４９】
尚、上記したいずれの例示においてもソレノイドを使用しているが、ソレノイド以外にも例えばモータ（ステッピングモータ）やシリンダ機構等を使用して、電力供給が停止された状態において内枠１２の開放が規制されるよう構成してもよい。また、種類の異なるソレノイド（通電時にプランジャーが突出するタイプのものやロータリーソレノイド）を使用してもよい。加えて、上記実施形態では施錠ソレノイド４１１として、プランジャー４１２に対して力を作用させるばねが内蔵されているタイプのソレノイドが採用されているが、前記ばねがソレノイド本体の外部に露出状態で設けられるタイプのソレノイドを採用してもよい。この場合、プランジャーに拡径部を設け、当該拡径部とソレノイド本体との間にばねを配置することとしてもよい。
【０１５０】
（ｂ）上記実施形態では、施錠ソレノイド４１１を取付板６０２の前面に設けているが、施錠ソレノイド４１１を取付板６０２の背面に設けることとしてもよい。この場合、施錠ソレノイド４１１を覆うカバー部材を設けることとしてもよい。カバー部材を設けることで、施錠ソレノイド４１１を取付板６０２前面に設ける場合と同様に、プランジャー４１２に対し直接力を加えて引っ込めてしまうといった行為を防止することができる。特に、カバー部材を取付板６０２に取付けるためのねじを取付板６０２の前面側から取付ける場合には、施錠装置６００を取外さないとカバー部材を取外せないこととなるため、かかる作用効果が確実に奏される。
【０１５１】
（ｃ）上記実施形態では、内枠１２の施錠機構、前面枠セット１４の施錠機構、及び裏パックユニット２０３の施錠機構が単一の施錠装置６００によって具現化されている。しかしながら、施錠装置６００の構成は上記実施形態に限定されるものではない。例えば前面枠セット１４が内枠１２と一体形成された構成等においては、当該前面枠セット１４の施錠機構を省略し、内枠１２の施錠機構及び裏パックユニット２０３の施錠機構からなる施錠装置を採用してもよい。また、裏パックユニット２０３の施錠機構（裏パック鉤部６２１，６２２、延出部６２５，６２６、受け金具２０４）を省略してもよい。
【０１５２】
（ｄ）また、上記実施形態では、第１摺動杆６０５及び第２摺動杆６３５に対してそれぞれ前面枠セット１４を施錠するための前面枠セット鉤部６１０，６１１，６１２、裏パックユニット２０３を施錠するための裏パック鉤部６２１，６２２、及び内枠１２を施錠するための内枠鉤部６３７，６３８が固定的（相対変位不能）に設けられているが特にこのような構成に限定されるものではない。例えば、第１摺動杆６０５及び第２摺動杆６３５に対して、内枠鉤部６３７，６３８、前面枠セット鉤部６１０，６１１，６１２、及び裏パック鉤部６２１，６２２を相対移動可能に設けることとしてもよい。
【０１５３】
以下、図２２、図２３、図２４に示す態様例について説明する。図２２は施錠装置９００の下部を示す斜視図である。図２３は施錠装置９００の下部を示す背面図である。図２４（ａ）は開放規制ユニット９３１を示す下面図であり、（ｂ）は（ａ）の分解図である。尚、図２２、図２３では、内枠鉤部材９１２及び前面枠セット施錠部材９１３がともに係止位置にあるときの状態を示している。また、図２２、図２３では、便宜上、施錠装置９００の下部のみを示し、上部の構成の図示を省略している。
【０１５４】
先ず、図２２等に示す施錠装置９００の基本構成について説明する。施錠装置９００は、内枠１２の右側辺部（背面視では左側の辺部）に沿って内枠１２の背面に当接固定される取付板９０２と、取付板９０２の内枠１２内方側（図２２、図２３では右側）の端縁から後方に延びる支持板９０３とを具備する断面略Ｌ字状の基枠９０１を備えている。
【０１５５】
図２３に示すように、取付板９０２には上下一対の挿入孔９０２ａが形成されている。尚、内枠１２（樹脂ベース３８）には、施錠装置９００の取付状態において挿入孔９０２ａと相対する位置に、連通孔（図示略）が形成されている。そして、前面枠セット１４の閉時においては、前面枠セット１４の背面側に延びる前面枠セット鉤部１４ａが、連通孔を介して、挿入孔９０２ａに進入するようになっている。
【０１５６】
また、施錠装置９００は、支持板９０３の内面（図２３では左面）に沿って上下方向に摺動可能に設けられた摺動杆９１１と、摺動杆９１１の内面（図２３では左面）に沿って上下方向に摺動可能な上下一対の内枠鉤部材９１２とを備えている。摺動杆９１１及び内枠鉤部材９１２は、上下一対のコイルばねＣ１により、常には下方に付勢されている。本実施形態では、内枠鉤部材９１２が第２施錠部材を構成し、内枠鉤部材９１２の摺動範囲のうち、下方位置が係止位置に相当し、上方位置が非係止位置に相当する。
【０１５７】
内枠１２の閉状態においては、外枠１１の内側に固定された受け金具（上記実施形態の受け金具８３，８４と同様のもの）の上辺部に対して内枠鉤部材９１２が係止される。これにより、外枠１１に対し内枠１２が施錠される。尚、内枠１２を閉じるときの内枠鉤部材９１２の動きを簡単に説明すると、内枠鉤部材９１２は、受け金具と接触することによって上方に押され、コイルばねＣ１の付勢力に抗して一旦上方の非係止位置に向けて摺動する。その後、コイルばねＣ１の付勢力で下方の係止位置に戻り、受け金具に係止される。
【０１５８】
上下一対の内枠鉤部材９１２は、摺動杆９１１の上方への摺動に連動して、両方同時に上方に向けて摺動するよう構成されている。一方、摺動杆９１１は、内枠鉤部材９１２に対して直接力が加えられることにより該内枠鉤部材９１２が上方に摺動したとしても、連動して摺動しないよう構成されている。つまり、内枠鉤部材９１２は、それぞれ独立して移動可能となっており、例えば、上下一対の内枠鉤部材９１２のうち一方を上方に移動させたとしても、他方は移動せずに係止位置のままである。
【０１５９】
また、施錠装置９００は、各内枠鉤部材９１２の上方位置において、取付板９０２の背面に沿って上下方向に摺動可能な上下一対の前面枠セット施錠部材９１３を備えている。前面枠セット施錠部材９１３は、取付板９０２の背面に摺接する取付側片部９１４と、摺動杆９１１の内面に摺接する支持側片部９１５とを備え、取付側片部９１４には矩形状の係止孔９１４ａが形成されている。係止孔９１４ａは、取付板９０２に形成された挿入孔９０２ａと相対配置されている。また、摺動杆９１１及び前面枠セット施錠部材９１３は、上下一対のコイルばねＣ２により、常には上方に付勢されている。本実施形態では、前面枠セット施錠部材９１３が第１施錠部材を構成し、前面枠セット施錠部材９１３の摺動範囲のうち、上方位置が係止位置に相当し、下方位置が非係止位置に相当する。尚、摺動杆９１１は、コイルばねＣ１及びＣ２により、上方及び下方のどちらにも移動可能な中間位置（基準位置）において緊張状態とされている。
【０１６０】
前面枠セット１４の閉状態においては、前面枠セット１４に設けられた前面枠セット鉤部１４ａが、内枠１２の連通孔及び取付板９０２の挿入孔９０２ａを介して係止孔９１４ａに挿通され、前面枠セット施錠部材９１３（取付側片部９１４の背面）に係止される。これにより、内枠１２に対し前面枠セット１４が施錠される。尚、前面枠セット１４を閉じるときの前面枠セット施錠部材９１３の動きを簡単に説明すると、前面枠セット施錠部材９１３は、前面枠セット鉤部１４ａと接触することによって下方に押され、コイルばねＣ２の付勢力に抗して一旦下方の非係止位置に向けて摺動する。その後、コイルばねＣ２の付勢力で上方の係止位置に戻り、前面枠セット鉤部１４ａを係止する。
【０１６１】
さらに、上下一対の前面枠セット施錠部材９１３は、摺動杆９１１の下方への摺動に連動して、両方同時に下方に向けて摺動するよう構成されている。一方、摺動杆９１１は、前面枠セット施錠部材９１３に直接力が加えられることにより前面枠セット施錠部材９１３が下方に摺動したとしても、連動して摺動しないよう構成されている。つまり、前面枠セット施錠部材９１３は、それぞれ独立して下方に移動可能となっており、例えば、上下一対の前面枠セット施錠部材９１３のうち一方を下方に移動させたとしても、他方は移動せずに係止位置のままである。
【０１６２】
そして、シリンダ錠９２１の鍵穴に挿入した鍵を時計回り方向に回転させた場合、摺動杆９１１が基準位置から上方に摺動するとともに、当該摺動に連動して内枠鉤部材９１２が上方の非係止位置へと変位し、内枠鉤部材９１２と受け金具との係止状態が解除される（内枠１２が解錠される）。一方、シリンダ錠９２１の鍵穴に挿入した鍵を反時計回り方向に回転させた場合、摺動杆９１１が基準位置から下方に摺動するとともに、当該摺動に連動して前面枠セット施錠部材９１３が下方の非係止位置へと変位し、前面枠セット施錠部材９１３と前面枠セット鉤部１４ａとの係止状態が解除される（前面枠セット１４が解錠される）。
【０１６３】
次に、前面枠セット１４及び内枠１２の不正開放に対する防御性能を高めるための構成について説明する。
【０１６４】
基枠９０１の下部には、支持板９０３の外面（内枠１２内方側の面：図２３では右面）に対し、開放規制手段としての開放規制ユニット９３１が取付けられている。尚、本態様例では、開放規制ユニット９３１は、上下方向において、係止位置にある下側の内枠鉤部材９１２と、係止位置にある下側の前面枠セット施錠部材９１３との間に対応する位置に設けられている。
【０１６５】
図２４に示すように、開放規制ユニット９３１は、支持板９０３に固定される取付台９３２と、取付台９３２に固定される施錠ソレノイド９３３とを備えている。取付台９３２は、支持板９０３の外面と面当接した状態でねじ固定される固定部９３２ａと、固定部９３２ａの後端縁から内枠１２内方側（図２２、図２３では右方）に延びる台座部９３２ｂと、固定部９３２ａと台座部９３２ｂとの境界部から後方に延びるユニット側ガイド壁部９３２ｃとを備えている。本態様例では、１枚の金属板を折り曲げ形成することで取付台９３２が構成されている。また、取付台９３２は、ユニット側ガイド壁部９３２ｃが基枠９０１の支持板９０３の後縁部よりも後方に突出するようにして取付けられる。加えて、ユニット側ガイド壁部９３２ｃには左右方向に貫通するガイド孔９３５（開口部）が形成されている（図２３等参照）。
【０１６６】
図２２に示すように、基枠９０１の支持板９０３は、後縁部から後方に突出し、ユニット側ガイド壁部９３２ｃと対向する本体側ガイド壁部９４１を備えている。本体側ガイド壁部９４１には、ユニット側ガイド壁部９３２ｃのガイド孔９３５に臨むガイド孔９４２が形成されている（図２３参照）。
【０１６７】
また、図２４に示すように、開放規制ユニット９３１は、一端部側がユニット側ガイド壁部９３２ｃのガイド孔９３５に嵌め込み固定された略筒状の導通部材９５１と、導通部材９５１に挿通された可動部材９５５とを備えている。
【０１６８】
開放規制ユニット９３１の基枠９０１への取付状態においては、導通部材９５１の他端部が本体側ガイド壁部９４１のガイド孔９４２に嵌め込み固定される。また、図２４（ｂ）に示すように、導通部材９５１は、長手方向中間部位において、外周側に突出する膨出部９５２を備えており、開放規制ユニット９３１の基枠９０１への取付状態においては、膨出部９５２がユニット側ガイド壁部９３２ｃと本体側ガイド壁部９４１とで挟持される格好となる（図２３参照）。当該膨出部９５２の存在により、導通部材９５１が各ガイド壁部９３２ｃ、９４１のガイド孔９３５、９４２から脱落しないようになっている。本態様例では、導通部材９５１は樹脂により構成されている。
【０１６９】
図２４に示すように、可動部材９５５は、円柱状の可動部材本体９５６と、可動部材本体９５６の一端部側に形成された拡径部９５７とを備えており、内枠１２内方側から導通部材９５１に挿通されている。拡径部９５７の存在により、可動部材９５５が導通部材９５１から内枠１２外方側へ抜け落ちないようになっている。また、可動部材９５５は導通部材９５１よりも長く構成されており、拡径部９５７と導通部材９５１とが当接すると、可動部材９５５の先端部が導通部材９５１から内枠１２外方側（図２３では左方）へ大きく突出することとなる。本態様例では、可動部材９５５は、磁性体（軟磁性体）により構成されている。
【０１７０】
図２４に示すように、施錠ソレノイド９３３は、ソレノイド本体９６１と、ソレノイド本体９６１に対して出没動作可能に設けられたプランジャー９６２と、プランジャー９６２をソレノイド本体９６１から突出する方向に付勢するコイルばね９６３とを備え、プランジャー９６２が内枠１２外方側（図２３では左方）に突出する向きで、台座部９３２ｂの背面側に固定されている。本態様例の施錠ソレノイド９３３はプル型のソレノイドであるため、施錠ソレノイド９３３への電力供給が停止され、施錠ソレノイド９３３が非励磁状態とされた場合には、コイルばね９６３の付勢力により、プランジャー９６２がソレノイド本体９６１から突出する方向に変位する。一方、施錠ソレノイド９３３に電力が供給され、施錠ソレノイド９３３が励磁状態とされた場合には、コイルばね９６３の付勢力に抗して、プランジャー９６２がソレノイド本体９６１に引っ込む方向に変位する。
【０１７１】
また、本態様例では、当該施錠ソレノイド９３３により前記可動部材９５５を変位させる構成となっている。すなわち、施錠ソレノイド９３３は、プランジャー９６２の先端部が可動部材９５５の拡径部９５７と当接可能な位置に配置され、当該施錠ソレノイド９３３が非励磁状態とされると、可動部材９５５は、プランジャー９６２に押圧されて、拡径部９５７と導通部材９５１とが当接するまで図２３の左方に変位する。これにより、可動部材９５５の先端部が導通部材９５１から内枠１２外方側に大きく突出した状態となる。
【０１７２】
一方、施錠ソレノイド９３３が励磁状態とされると、上記のようにプランジャー９６２がソレノイド本体９６１に引っ込む側に変位するとともに、磁性体である可動部材９５５が磁化されたプランジャー９６２に引き付けられて、図２３の右方に変位する。これにより、可動部材９５５の先端部が、導通部材９５１の内側に収容された状態となる。尚、施錠ソレノイド９３３は、励磁状態にあるときのプランジャー９６２と導通部材９５１との距離が、可動部材９５５の長さよりも短くなるように配置されており、これにより、可動部材９５５が導通部材９５１から内枠１２内方側へ抜け落ちないようになっている。
【０１７３】
また、図２２に示すように、摺動杆９１１は、後縁部から後方に突出し、基準位置にある状態（シリンダ錠９２１の操作がなされていない状態）において本体側ガイド壁部９４１と対向する係止片９７１を備えている。係止片９７１には、摺動杆９１１が基準位置にある状態において、ユニット側ガイド壁部９３２ｃ及び本体側ガイド壁部９４１のガイド孔９３５、９４２に臨む係止孔９７２が形成されている。
【０１７４】
そして、施錠ソレノイド９３３が励磁状態とされた場合には、導通部材９５１から図２３の左方に突出した可動部材９５５が係止片９７１の係止孔９７２に挿通される。これにより、摺動杆９１１の変位が規制されることとなる。また、施錠ソレノイド９３３が非励磁状態とされると、可動部材９５５が係止片９７１の係止孔９７２から抜け出す。これにより、摺動杆９１１の変位が許容されることとなる。
【０１７５】
以上の構成を採用することで、電力供給が停止された状態において、例えば、不正入手した合鍵を用いて前面枠セット１４や内枠１２を解錠しようとしても、可動部材９５５により摺動杆９１１の変位が規制されるため、前面枠セット１４や内枠１２を解錠させることが不可能となる。従って、基本的に上記実施形態と同様の作用効果が奏されることとなる。
【０１７６】
また、施錠ソレノイド９３３のプランジャー９６２及び可動部材９５５は常に当接状態となっているが、両者間が固定されているわけではない。このため、電力供給が停止された状態において、内枠鉤部材９１２（又は前面枠セット施錠部材９１３）の変位を規制した際に可動部材９５５に作用する応力が施錠ソレノイド９３３に及んでしてしまい、施錠ソレノイド９３３が損傷してしまうといったおそれを抑制することができる。特に、本態様例では、可動部材９５５（プランジャー９６２）の変位方向と、内枠鉤部材９１２及び前面枠セット施錠部材９１３の変位方向とが直交しているため、当該作用効果が一層確実に奏される。また、例えば、可動部材９５５が損傷した場合には、可動部材９５５単位で比較的スムースに交換することができる。すなわち、可動部材９５５とプランジャー９６２とが取外し不可能に固定される場合に比べて、省資源化、コストの削減等を図ることができ、可動部材９５５とプランジャー９６２とが取外し可能に固定される場合に比べて、着脱作業が不要なことから製造作業性及びメンテナンス性の向上が図られるとともに、ねじ等が不要なことから構成の簡素化を図ることができる。さらに、市販品のソレノイドを改良することなくほぼそのまま搭載することができ、コストの削減、生産性の向上等を図ることができる。
【０１７７】
加えて、施錠ソレノイド９３３が励磁状態とされた場合に、可動部材９５５が磁化されたプランジャー９６２に引き付けられて係止片９７１の係止孔９７２から抜け出すといった構成を採用することにより、施錠ソレノイド９３３が励磁状態とされた際に可動部材９５５を変位させるべく、ばね等の付勢手段や付勢手段を固定する固定部等を別途設ける必要がなく、構成の簡素化等を図ることができる。
【０１７８】
さらに、開放規制ユニット９３１の取付状態において、ユニット側ガイド壁部９３２ｃ及び本体側ガイド壁部９４１の各ガイド孔９３５、９４２に嵌め込み固定される導通部材９５１の存在により、開放規制ユニット９３１と基枠９０１との位置決め、ひいては、摺動杆９１１の係止片９７１の係止孔９７２と可動部材９５５との位置決めをより確実に行うことができる。従って、例えば、施錠ソレノイド９３３の取付位置や取付向きが的確ではない等の不具合がある開放規制ユニット９３１が基枠９０１に取付けられてしまい、上記各作用効果が上手く奏されないといった事態を防止することができる。また、導通部材９５１の存在により、開放規制ユニット９３１の取付状態の安定化（取付台９３２のがたつき防止）を図ったり、可動部材９５５をより確実にガイドしたりすることができる。
【０１７９】
また、取付台９３２と施錠ソレノイド９３３と可動部材９５５とがユニット化されていることから、施錠ソレノイド９３３と可動部材９５５とが別々に固定されるような場合や、施錠ソレノイド９３３と可動部材９５５とが別々の部材に固定されるような場合（例えば、施錠ソレノイド９３３が樹脂ベース３８に直接固定されるとともに、可動部材９５５が基枠９０１に固定されるような場合）に比べ、取付作業性の向上やメンテナンス性の向上等を図ることができる。また、開放規制ユニット９３１単位で取付位置を変更することができることから、機種変更に際して係止片９７１等の位置変更を余儀なくされた場合であっても、かかる施錠装置に対して開放規制ユニット９３１を取付けることができる。
【０１８０】
尚、上記態様例では、施錠ソレノイド９３３のプランジャー９６２と可動部材９５５とが固定されていなかったが、両者を固定してもよい。当該構成を採用する場合であっても、導通部材９５１（本体側ガイド壁部９４１及びユニット側ガイド壁部９３２ｃ）を設けることにより、内枠鉤部材９１２や前面枠セット施錠部材９１３の変位を規制した際に可動部材９５５に作用する応力を受け止めることができ、かかる応力が施錠ソレノイド９３３に作用することに起因して、施錠ソレノイド９３３が損傷してしまうといった事態を防止することができる。
【０１８１】
また、本体側ガイド壁部９４１及びユニット側ガイド壁部９３２ｃのうち一方を省略してもよい。尚、施錠ソレノイド９３３のプランジャー９６２と可動部材９５５とが固定されている場合には両者を省略することも可能であるが、上記の通り、施錠ソレノイド９３３の損傷を防止するといった観点からすると、少なくとも一方が設けられていることが望ましい。また、導通部材９５１の取付けを考慮すると、両者が設けられている方が望ましい。
【０１８２】
尚、上記実施形態において、施錠ソレノイド４１１、可動部材４２１、及びコイルばねＣ３をユニット化することとしてもよい。
【０１８３】
（ｅ）上記（ｄ）において図２２等を参照して説明した態様例では、前面枠セット施錠部材９１３及び内枠鉤部材９１２がそれぞれ独立して変位可能に構成されることから、摺動杆９１１の摺動を規制しても、前面枠セット施錠部材９１３及び内枠鉤部材９１２に直接力が加えられた場合、当該前面枠セット施錠部材９１３及び内枠鉤部材９１２の変位を規制することができない。従って、例えば、上下一対の内枠鉤部材９１２に対して、パチンコ機１０内部に侵入させた線材等を引っ掛け、両内枠鉤部材９１２を非係止位置へと変位させた場合、内枠１２が不正開放されてしまうおそれがある。このため、電力供給が停止された状態において内枠１２の解錠を規制するためには、内枠鉤部材９１２又は内枠鉤部材９１２に対して変位不可能かつ取外し不可能（取外し困難）に固定される部材のうち少なくとも１つに対して施錠ソレノイド９３３等の開放規制手段を当接可能に構成し、電力供給が停止された状態において内枠鉤部材９１２の変位を直接規制することが望ましい。
【０１８４】
すなわち、図２５に示すように、内枠鉤部材９１２から本体側ガイド壁部９４１に向けて上方に延びる内枠係止片９８１を設けるとともに、内枠係止片９８１に対して、内枠鉤部材９１２が係止位置にあるときに各ガイド壁部９３２ｃ、９４１のガイド孔９３５、９４２に臨む内枠係止孔９８１ａを形成し、施錠ソレノイド９３３が非励磁状態とされると、ガイド孔９３５、９４２及び内枠係止孔９８１ａに可動部材９５５が挿通され、内枠鉤部材９１２の変位が規制されるといった構成を採用してもよい。このように、内枠鉤部材９１２に連動する摺動杆９１１ではなく、内枠鉤部材９１２の変位を直接規制する構成を採用することにより、電源供給が停止された状態において、内枠鉤部材９１２に直接力を加えたとしても、内枠鉤部材９１２を変位させることが不可能となる。従って、より確実に内枠１２の不正開放を防止することができる。
【０１８５】
さらに、同図に示すように、前面枠セット施錠部材９１３から本体側ガイド壁部９４１に向けて延出する前面枠係止片９８３を設けるとともに、前面枠係止片９８３に対して、前面枠セット施錠部材９１３が係止位置にあるときに前記内枠係止片９８１の内枠係止孔９８１ａ、及び各ガイド壁部９３２ｃ、９４１のガイド孔９３５、９４２に臨む前面枠係止孔９８３ａを形成し、施錠ソレノイド９３３が非励磁状態とされると、ガイド孔９３５、９４２、内枠係止孔９８１ａ、及び前面枠係止孔９８３ａに可動部材９５５が挿通され、前面枠セット施錠部材９１３の変位が規制されるといった構成を採用してもよい。この場合、電源供給が停止された状態において、前面枠セット施錠部材９１３に直接力を加えたとしても、前面枠セット施錠部材９１３を変位させることが不可能となる。従って、より確実に前面枠セット１４の不正開放を防止することができる。
【０１８６】
尚、図２５に示すように、内枠係止片９８１及び前面枠係止片９８３の両方を設ける場合には、内枠鉤部材９１２及び前面枠セット施錠部材９１３のうち一方に設けられた内枠係止片９８１又は前面枠係止片９８３によって、他方の変位が阻害されないように、左右方向において、内枠係止片９８１と前面枠係止片９８３との位置をずらす（左右方向において内枠係止片９８１と前面枠係止片９８３とが重なり合うように構成する）こととする。また、図２５に示す構成を採用する場合、施錠ソレノイド９３３が非励磁状態にあるときには、可動部材９５５が、係止位置から非係止位置へと向かう方向が逆方向である内枠係止片９８１及び前面枠係止片９８３にそれぞれ設けられた内枠係止孔９８１ａ及び前面枠係止孔９８３ａに挿通されている。このため、内枠鉤部材９１２及び前面枠セット施錠部材９１３のうち一方側の変位を規制する際に、当該一方側に設けられた内枠係止片９８１又は前面枠係止片９８３から力が加えられた可動部材９５５は、他方側に設けられた前面枠係止片９８３又は内枠係止片９８１と導通部材９５１とによって支持されることとなる。
【０１８７】
尚、図２５に示す構成においては、内枠係止片９８１に形成された内枠係止孔９８１ａ、及び前面枠係止片９８３に形成された前面枠係止孔９８３ａに可動部材９５５が挿通されることで内枠鉤部材９１２及び前面枠セット施錠部材９１３の変位が規制されているが、例えば、図２６に示すように、可動部材９５５の下辺部が内枠鉤部材９１２の上部に略当接するとともに、上辺部が前面枠セット施錠部材９１３の下部に略当接することで内枠鉤部材９１２及び前面枠セット施錠部材９１３の変位を規制するといった構成を採用してもよい。この場合も、同様の作用効果が奏される。
【０１８８】
（ｆ）上記実施形態において、図２７に示すように、第１摺動杆６０５の第１支持片部４０２に対し、第２係合孔４０５及び第１係合孔４０４に挿通され、第１支持片部４０２から内枠１２外方側に突出する可動部材４２１の挿通部４２５及び爪部４２６を覆う接触防止キャップ９９１（接触防止手段）を設けてもよい。
【０１８９】
例えば、施錠ソレノイド４１１全体（プランジャー４１２、可動部材４２１、第１支持片部４０２、及び第２支持片部４０３等）を覆うカバー部材を設ける場合、当該カバー部材に対し、第１支持片部４０２及び第２支持片部４０３の摺動を許容するためのスリットを形成する必要がある。当該スリットを小さく構成した場合には、製造誤差等に起因して第１支持片部４０２や第２支持片部４０３の摺動を阻害してしまうおそれが高くなり、スリットを大きく構成した場合には、スリットを介して線材等をカバー部材の内部に侵入させ、可動部材４２１の先端部を押圧操作するといった行為が行われるおそれがある。
【０１９０】
これに対し、第１支持片部４０２に接触防止キャップ９９１を設ける構成を採用することにより、可動部材４２１の先端部（挿通部４２５の内枠１２外方側の端部及び爪部４２６）を接触不可能とすることができる。従って、可動部材４２１の先端部を押圧して、第１摺動杆６０５及び第２摺動杆６３５を摺動可能な状態にしてしまうといった行為をより確実に防止することができる。
【０１９１】
尚、接触防止キャップ９９１は、図２７（ａ）に示すように、第１支持片部４０２と一体的に形成してもよいし、図２７（ｂ）に示すように、第１支持片部４０２とは別体として構成されてもよい。但し、接触防止キャップ９９１は、第１支持片部４０２に対して取外し困難に設けられる（例えば、接触防止キャップ９９１を固定したねじの頭部が第２支持片部４０３と対向する面側に位置する）ことが望ましく、取外し不可能に設けられることがより望ましい。また、接触防止キャップ９９１とは別に、可動部材４２１のうち第２支持片部４０３よりも内枠１２内方側（図２７では右側）に位置する部位、及び施錠ソレノイド４１１（及びコイルばねＣ３）を覆うカバー部材を設けることとしてもよい。この場合、可動部材４２１やプランジャー４１２を押圧して、第１摺動杆６０５及び第２摺動杆６３５を摺動可能な状態にしてしまうといった行為をより確実に防止することができる。
【０１９２】
尚、上記（ｄ）にて記載した図２２に示す構成に対応しては、摺動杆９１１（係止片９７１）に対して接触防止キャップ９９１を設けることとしてもよい。また、上記（ｅ）にて記載した図２５に示す構成に対応しては、前面枠係止片９８３に対して接触防止キャップ９９１を設けることとしてもよい。また、図２２や図２５等に示した導通部材９５１を図２８（ａ）、（ｂ）のように構成してもよい。すなわち、導通部材９５１に対し、施錠ソレノイド９３３が非励磁状態にある場合において、可動部材９５５の拡径部９５７を覆う閉塞部９９３を設けることとしてもよい。この場合、拡径部９５７に線材等を引っ掛けて可動部材９５５を変位させるといった行為を防止することができる。尚、非励磁状態にあるプランジャー９６２が押圧されることで、当該プランジャー９６２が引っ込む方向に変位すると、可動部材９５５も同方向に変位するといった構成を採用する場合（例えば、プランジャー９６２と可動部材９５５とが連結されている場合）には、プランジャー９６２の先端部に形成され、コイルばね９６３の一端部を支持するためのばね掛部９６２ａについても、施錠ソレノイド９３３が非励磁状態にある場合においては、閉塞部９９３によって覆われることとしてもよい。
【０１９３】
図２８（ａ）、（ｂ）に示すように、基枠９０１や取付台９３２（図２２、図２５参照）とは別体として構成される導通部材９５１に対して閉塞部９９３を一体形成する場合には、基枠９０１や取付台９３２に閉塞部９９３を形成する場合に比べ、閉塞部９９３を比較的容易に形成することができる。特に、図２８（ａ）に示すように、導通部材９５１の拡径部９５７がユニット側ガイド壁部９３２ｃ及び本体側ガイド壁部９４１によって挟持される構成を採用する場合には、開放規制ユニット９３１を基枠９０１から取外さなければ導通部材９５１を取外すことが不可能であるため、導通部材９５１自体が取外されるといった事態を防止することができる。従って、構成の簡素化を図りつつ、不正解錠に対する防犯性能を高めることができる。
【０１９４】
（ｇ）上記実施形態では特に言及しなかったが、シリンダ錠７００としては、例えば、鍵穴に挿入された鍵の回動操作（シリンダ錠７００のキー操作）が行われない限りカム板７２０が変位不能なものを採用してもよいし、鍵穴に対して鍵が挿入されることでカム板７２０が変位可能となるものを採用してもよい。
【０１９５】
また、上記実施形態では特に言及しなかったが、第１摺動杆６０５や第２摺動杆６３５が基準位置にある場合において、カム板７２０の上係合爪７２０ａ及び下係合爪７２０ｂが、それぞれ対応する上係合孔７２５，７２７及び下係合孔７２６，７２８に挿通していてもよいし、挿通していなくてもよい。尚、前者の構成を採用する場合、キー操作を行わなければ、第１摺動杆６０５及び第２摺動杆６３５に対して直接力を加えたとしても当該第１摺動杆６０５及び第２摺動杆６３５を変位不能とすることができることから、電力が供給されている状態においても前面枠セット１４及び内枠１２の不正開放に対する防御性能を高めることができる。また、前者の構成を採用する場合には、電力供給が停止された場合にカム板７２０と当接状態となってカム板７２０の回動動作を規制する開放規制手段を設けることで、電力供給が停止された状態におけるキー操作を不可能とすることができ、上記実施形態と同様の作用効果が奏されることとなる。
【０１９６】
一方、後者の構成を採用する場合には、例えば、第１摺動杆６０５の略中間位置において内枠１２外方側に突出する摺動操作部を設けるとともに、第２摺動杆６３５に対して摺動操作部の挿通及び下方への変位を許容するための許容孔を形成することとしてもよい。すなわち、後者の構成を採用する場合には、カム板７２０によって第１摺動杆６０５や第２摺動杆６３５の摺動が規制されないことから、内枠１２を開放した状態において、シリンダ錠７００のキー操作を行わなくても、摺動操作部を押下げることで第１摺動杆６０５を下方に摺動させ、前面枠セット１４（裏パックユニット２０３）を開放できるように構成することができる。
【０１９７】
また、キーコードを変更可能なシリンダ錠を採用してもよい。キーコードの変更手順の一例としては、まず、所定のリセットピンを押圧した状態で鍵穴に現状の鍵を挿入して回動操作した後、該鍵を引き抜く。そして、リセットピンを押圧したまま、新たに設定したい鍵を鍵穴に挿入し、前記現状の鍵とは逆向きに回動操作した後、リセットピンの押圧状態を解除してから鍵を引き抜く。以上のような操作を行うことで、新たに設定したい鍵に合ったキーコードとすることができる。これにより、遊技ホール単位で鍵を統一できるとともに、不正防止のため、定期的に鍵を変更することができる。
【０１９８】
（ｈ）前面枠セット１４の施錠機構に関し、上記実施形態では、施錠装置６００側に、係止爪となる前面枠セット鉤部６１０，６１１，６１２が設けられ、前面枠セット１４側に、前記前面枠セット鉤部６１０等と係合する受け金具１７が設けられた構成となっている。これに限らず、前面枠セット１４側に爪部を有する鉤部材を設け、施錠装置６００側の摺動杆（第１摺動杆６０５）が当該鉤部材と係合する構成としてもよい。この場合、解錠の際には、施錠装置６００側の摺動杆が動作することにより、両者の係合状態が外れることとなる。もちろん、裏パックユニット２０３の施錠機構に関しても同様のことが言える。
【０１９９】
（ｉ）第１摺動杆６０５及び第２摺動杆６３５の摺動方向が逆であってもよい。つまり、上記実施形態では、例えば第２摺動杆６３５が上方へ摺動することにより、内枠鉤部６３７，６３８が受け金具８３，８４から離脱する構成となっているが、第２摺動杆６３５が下方へ摺動することにより、内枠鉤部６３７，６３８が受け金具８３，８４から離脱する構成を採用してもよい。
【０２００】
（ｊ）上記実施形態では、シリンダ錠７００の鍵穴に鍵を挿入し、時計回り方向に回動操作することで内枠１２が解錠され、反時計回りに回動操作することで前面枠セット１４及び裏パックユニット２０３が解錠される構成となっている。これに限らず、三者の解錠操作が異なる構成としてもよい。例えば、シリンダ錠７００とは異なるシリンダ錠を採用するとともに、第３の摺動杆を備えることにより、時計回り方向に回動操作することで内枠１２が解錠され、反時計回りに回動操作することで前面枠セット１４が解錠され、錠軸を奥側へスライドさせた状態で時計回り方向若しくは反時計回り方向に回動操作することで裏パックユニット２０３が解錠される構成としてもよい。
【０２０１】
（ｋ）内枠鉤部６３７，６３８等の各鉤部の構成は上記実施形態に限定されるものではない。例えば、上記実施形態では、内枠鉤部６３７，６３８等の各鉤部が第１摺動杆６０５及び第２摺動杆６３５に一体形成されているが、これに限らず、内枠鉤部６３７，６３８等を構成する鉤部材がネジ等の固定手段により第１摺動杆６０５及び第２摺動杆６３５に対し相対変位不能に固定された構成としてもよい。
【０２０２】
また、上記実施形態では、先端に向け先細りした略三角形状の頭部を有した鉤部を採用しているが、これに限らず、例えば頭部の先端が上下方向に沿って略直線状に形成された鉤部を採用してもよい。
【０２０３】
また、内枠鉤部６３７，６３８等の各鉤部及びこれに対応する受け金具８３，８４等の各被係止部の数は、上記実施形態の数に限定されるものではなく、例えば１つであってもよい。
【０２０４】
（ｌ）図３、図４に示すように、上記実施形態では、内枠１２及び前面枠セット１４の右側部には、施錠ソレノイド４１１、可動部材４２１、第１支持片部４０２、及び第２支持片部４０３を収容するために、前後に貫通する設置用孔部４４１及び収容凹部４４２が形成されているが、特にこのような構成に限定されるものではない。例えば、内枠１２に形成される設置用孔部４４１を、前後に貫通する孔ではなく、前方に凹む凹部として構成し、前面枠セット１４を開放しても、施錠ソレノイド４１１、可動部材４２１、第１支持片部４０２、及び第２支持片部４０３を接触不可能としてもよい。
【０２０５】
また、例えば、施錠ソレノイド４１１、可動部材４２１、第１支持片部４０２、及び第２支持片部４０３を内枠１２（樹脂ベース３８）の背面側に配置することで、設置用孔部４４１及び収容凹部４４２を省略し、前面枠セット１４を開放しても、施錠ソレノイド４１１等の部材を接触不可能としてもよい。
【０２０６】
これらの構成を採用する場合には、施錠ソレノイド４１１及び可動部材４２１を取付板６０２の前面に設けることで、施錠ソレノイド４１１及び可動部材４２１を接触不可能又は接触困難とすることができ、従って、施錠ソレノイド４１１を没入状態とさせてしまうといった不正行為を抑止することができるといった作用効果が一層確実に奏される。
【０２０７】
また、内枠１２を開放しない限り前面枠セット１４を開放することができない構成としてもよい。例えば、第１摺動杆６０５（本体部６０８の支持側壁部６０７）から後方に延びる係止片部を設け、内枠１２及び前面枠セット１４の閉時に、かかる係止片部が、外枠１１に設けられた係止金具の上辺部に当接して係止されることとしてもよい。この場合、内枠１２及び前面枠セット１４の閉時においては、第１摺動杆６０５を下方へ摺動させようとしても、係止片部が係止金具に引っ掛かり、その摺動が規制される。一方、内枠１２を開放すれば、係止片部と係止金具との係止状態が解除されるので、第１摺動杆６０５を下方へ摺動させることができるようになる。
【０２０８】
（ｍ）上記実施形態とは異なるタイプのパチンコ機として実施してもよい。また、パチンコ機以外にも、アレンジボール機、それに類する雀球等の各種遊技機、スロットマシンとパチンコ機とを融合した形式の遊技機などとして実施してもよい。
【０２０９】
［付記］
上記実施形態から把握できる技術的思想について、以下に記載する。
【０２１０】
一般にパチンコ機等の遊技機では、店員以外の者が無断で扉体を開放できないように施錠装置が設けられている。それにもかかわらず、遊技ホールでは、扉体を不正に解錠・開放し、扉体裏側に設けられた制御機器を不正に操作したり交換したりする等して、多くの遊技球を獲得する不正行為が行われることもあった（例えば特許文献１参照）。
【０２１１】
しかしながら、夜間や営業休日等の営業時間外の遊技ホールに不法侵入され、制御機器を交換する等の不正行為が行われた場合には、その発見が困難であり、そのような不正行為により遊技ホールは多大な損害を被るおそれがあった。
【０２１２】
尚、かかる課題は、パチンコ機に限らず、スロットマシン等他の遊技機にも内在する問題である。
【０２１３】
本発明は、上記例示した問題点等を解決するためになされたものであり、その目的は、扉体の不正開放に対する防御性能を高めることのできる遊技機を提供することにある。
【０２１４】
手段１．遊技機本体に対し開閉可能に支持される扉体と、前記扉体を前記遊技機本体に施錠する施錠装置とを備え、
前記施錠装置は、所定の操作部材を操作して、施錠部材を前記扉体の開放を規制する係止位置から前記扉体の開放を許容する非係止位置へと変位させることで、前記扉体を施錠する施錠状態から解錠状態へと切替わる遊技機において、
電力が供給されている場合に前記扉体の開放を許容する第１の状態となり、電力供給が停止された場合に前記扉体の開放を規制する第２の状態となる開放規制手段を備えたことを特徴とする遊技機。
【０２１５】
手段１によれば、操作部材を操作して扉体の施錠及び解錠を行う施錠装置に加えて、電力供給が停止された場合に扉体の開放を規制する開放規制手段が設けられている。これにより、電力供給が停止されている場合には、施錠装置の解錠操作の有無に関わらず、扉体を開放することができなくなる。このため、電力供給が停止された状態、例えば夜間等の営業時間外において扉体が不正に開放されてしまうといったおそれを防止することができる。従って、制御機器が不正に交換される等の遊技機内部に対する不正行為が行われたことに気付かずに、その状態で遊技が行われてしまい、遊技ホールが多大な損害を被ってしまうといった事態を防止することができる。結果として、扉体の不正開放に対する防御性能を高めることができる。
【０２１６】
尚、開放規制手段は施錠装置に設けられていることとしてもよい。この場合、部品点数の削減や省スペース化を図ることができる。また、「電力が供給されている状態」としては「遊技機が起動している状態」という意味も含み、「電力供給が停止された状態」としては「遊技機が起動していない状態」という意味も含む。尚、扉体の前面側や後面側において扉体の左右一側部にて開閉可能に支持される前扉や後扉が設けられる場合には、かかる前扉や後扉についても、少なくとも電力供給が停止された状態においては開放が規制されるよう構成してもよい。尚、「操作部材」としては「鍵が挿入されて回動操作されるシリンダ錠」等が挙げられる。
【０２１７】
尚、「前記扉体の開放を規制する」とあるのは、操作部材の解錠操作を行うことができなくなる（例えば操作部材がシリンダ錠である場合には鍵を回せなくなる）ことであったり、施錠部材が操作部材の解錠操作に連動しなくなる（解錠操作は行えるがかかる解錠操作を行ったとしても施錠装置を非係止位置に変位させることができず、扉体を解錠することができない）ことであったりする。
【０２１８】
手段２．前記開放規制手段は、前記遊技機本体又は前記扉体の一方に設けられるとともに、
第１の位置と第２の位置との間で変位可能な可動部材と、電力が供給されることに基づいて前記可動部材を前記第２の位置から前記第１の位置へと変位させ、電力供給が停止されることに基づいて前記可動部材を前記第１の位置から前記第２の位置へと変位させる駆動手段とを備え、
前記操作部材を解錠操作して、閉鎖状態にある前記扉体を開方向に移動させる場合に、
電力供給が停止された状態においては、前記第２の位置にある前記可動部材が、前記遊技機本体又は前記扉体の他方に当接することで、前記扉体の開放が規制され、
電力が供給されている状態においては、前記第１の位置にある前記可動部材と、前記遊技機本体又は前記扉体の他方とが当接することなく、前記扉体の開放が許容されることを特徴とする手段１に記載の遊技機。
【０２１９】
手段２によれば、電力供給が停止された状態においては、開放規制手段により扉体と遊技機本体との相対移動が規制される。これにより、例えば、遊技機内部に侵入させた線材等を施錠部材に引っ掛けて直接力を加えたり、不正に合鍵等を入手して操作部材を解錠操作したりすることで、施錠部材を非係止位置に変位させた、すなわち扉体を解錠したとしても、閉鎖状態にある扉体を開放することができないようになっている。従って、扉体の不正開放に対する防御性能を高めるといった上記手段１の作用効果が確実に奏される。
【０２２０】
尚、可動部材が第１の位置にある状態が開放規制手段の第１の状態であり、可動部材が第２の位置にある状態が開放規制手段の第２の状態である。加えて、可動部材としては例えばソレノイドのプランジャー等が挙げられ、駆動手段としては例えばソレノイド本体等が挙げられる。また、可動部材は、駆動手段（駆動手段の駆動部）とは別体として構成されていることとしてもよい。この場合、駆動手段が損傷し、可動部材を変位させることができなくなってしまうといったおそれを抑制することができる。加えて、ソレノイドにより駆動手段を構成することで、構成の複雑化を防止したり、開放規制手段の大型化を抑制したりすることができる。
【０２２１】
手段３．前記開放規制手段は、前記施錠部材の前記非係止位置側への変位を許容する第１の位置と、前記施錠部材の前記非係止位置側への変位を規制する第２の位置との間で変位可能な可動部材と、前記可動部材を変位させる駆動手段とを備え、
電力が供給された状態においては、前記駆動手段が前記可動部材を前記第１の位置へと変位させ、
電力供給が停止された状態においては、前記駆動手段が前記可動部材を前記第２の位置へと変位させることを特徴とする手段１に記載の遊技機。
【０２２２】
手段３によれば、電力供給が停止された状態においては、施錠部材の非係止位置側への変位が規制される。これにより、施錠装置の解錠が不可能となるため、閉鎖状態にある扉体を開放することができなくなる。従って、扉体の不正開放に対する防御性能を高めるといった上記手段１の作用効果が確実に奏される。また、本手段によれば、所定の動作を行うことで施錠部材が連動することとなる部材ではなく、施錠部材自体の変位を規制しているため、施錠部材を不正に変位させて扉体を解錠するといった行為を確実に防止することができる。尚、施錠部材が複数設けられている場合、電力供給が停止されている状態において、複数設けられた施錠部材のうち少なくとも１つの非係止位置側への変位が規制される構成となっていればよい。
【０２２３】
尚、「前記開放規制手段は、前記遊技機本体又は前記扉体の一方に設けられるとともに、  第１の位置と第２の位置との間で変位可能な可動部材と、電力が供給されることに基づいて前記可動部材を前記第２の位置から前記第１の位置へと変位させ、電力供給が停止されることに基づいて前記可動部材を前記第１の位置から前記第２の位置へと変位させる駆動手段とを備え、前記操作部材を解錠操作した場合（前記施錠部材に対して前記非係止位置側に力を加えた場合）、電力供給が停止された状態においては、前記第２の位置にある前記可動部材が前記施錠部材の所定部位に当接することで、前記施錠部材の前記非係止位置側への変位が規制され、電力が供給されている状態においては、前記第１の位置にある前記可動部材と前記施錠部材とが当接することなく、前記施錠部材の前記非係止位置側への変位が許容されること」としてもよい。また、例えば、「電力供給が停止された状態においては、施錠部材が第１の位置にある可動部材に当接することなく、又は摺接しながら非係止位置へと変位可能であり、電力が供給された状態においては、施錠装置が第２の位置にある可動部材に当接することで、施錠装置に作用した非係止位置側へと向かう応力の全てが可動部材に受け止められ、施錠部材の非係止位置側への変位が規制される」こととしてもよい。
【０２２４】
手段４．遊技機本体に対して開閉可能な扉体（第１扉体）と、前記扉体に対して開閉可能な前扉（第２扉体）と、前記前扉を前記扉体に施錠可能であるとともに、前記扉体を前記遊技機本体に施錠可能な施錠装置とを備え、
前記施錠装置は、
前記前扉の開放を規制する係止位置と前記前扉の開放を許容する非係止位置との間を変位可能な第１施錠部材と、
前記扉体の開放を規制する係止位置と前記扉体の開放を許容する非係止位置との間を変位可能な第２施錠部材と、
所定の操作を行うことで、前記係止位置にある前記第１施錠部材及び前記第２施錠部材を前記非係止位置へと変位可能な操作部材とを備え、
電力が供給されている場合には、前記操作部材が操作されることで前記前扉及び前記扉体の開放を許容する第１の状態となり、
電力供給が停止された場合には、前記操作部材の操作が行われても前記前扉及び前記扉体の開放を規制する第２の状態となる開放規制手段を備えたことを特徴とする遊技機。
【０２２５】
手段４によれば、扉体（第１扉体）及び前扉（第２扉体）の不正開放に対する防御性能を高めることができる。
【０２２６】
手段５．前記開放規制手段は、前記第１施錠部材及び前記第２施錠部材の前記非係止位置側への変位を許容する第１の位置と、前記第１施錠部材及び前記第２施錠部材の前記非係止位置側への変位を規制する第２の位置との間を変位する可動部材と、前記可動部材を変位させる駆動手段とを備え、
電力が供給された状態においては、前記駆動手段が前記可動部材を前記第１の位置へと変位させ、
電力供給が停止された状態においては、前記駆動手段が前記可動部材を前記第２の位置へと変位させることを特徴とする手段４に記載の遊技機。
【０２２７】
手段５によれば、上記手段４の構成を確実に実現することができる。また、本手段によれば、所定の動作を行うことで第１施錠部材、第２施錠部材が連動することとなる部材ではなく、第１及び第２施錠部材自体の変位を規制しているため、第１及び第２施錠部材を不正に変位させて扉体（第１扉体）や前扉（第２扉体）を解錠するといった行為を確実に防止することができる。さらに、１つの開放規制手段（可動部材）により扉体及び前扉の不正開放を規制可能な構成とすることができ、構成の簡素化を図ることができる。
【０２２８】
尚、「前記開放規制手段は、前記係止位置から前記非係止位置へと変位する前記第１施錠部材及び前記第２施錠部材と当接することのない第１の位置と、前記係止位置から前記非係止位置へと変位する前記第１施錠部材及び前記第２施錠部材と当接し、前記非係止位置側への変位を規制する第２の位置との間を変位する可動部材と、電力が供給されることに基づいて前記可動部材を前記第２の位置から前記第１の位置へと変位させ、電力供給が停止されることに基づいて前記可動部材を前記第１の位置から前記第２の位置へと変位させる駆動手段とを備え、電力が供給されている状態においては、前記可動部材が前記第１の位置において保持され、電力供給が停止された状態においては、前記可動部材が前記第２の位置において保持されること」としてもよい。
【０２２９】
手段６．前記可動部材の変位方向と、閉鎖状態にある前記扉体を開放する方向とが交差していることを特徴とする手段２に記載の遊技機。
【０２３０】
手段６によれば、電力供給が停止されている状態において、可動部材により扉体の不正開放を確実に規制することができる。また、電力が供給されている状態において、扉体の開閉を開放規制手段により阻害されることなくスムースに行うことができる。
【０２３１】
手段７．電力供給が停止された状態において前記施錠部材に対して前記非係止位置側へと向かう力が作用した場合に、前記施錠部材が前記第２の位置にある前記可動部材と当接することで、当該施錠部材の前記非係止位置側への変位が規制される構成であって、前記可動部材の変位方向と、前記施錠部材の変位方向とが交差していることを特徴とする手段３又は５に記載の遊技機。
【０２３２】
例えば、第２の位置にある可動部材に対して第１の位置となるように大きな負荷がかけられると当該可動部材が第１の位置側に変位してしまうおそれがある場合には、可動部材の変位方向と施錠部材の変位方向とが揃っていると、施錠部材に対して非係止位置側に力を加えることで、可動部材が施錠部材に押されて第１の位置側に変位してしまうおそれがある。この場合、不正行為者であっても遊技機内部に線材等を侵入させて施錠部材に対して直接力を加えたり、不正入手した合鍵を使用したりすることで扉体や前扉を開放できてしまうおそれがある。
【０２３３】
この点、本手段７によれば、可動部材と施錠部材とが交差するようにして当接することとなる。このため、施錠部材に押されることで、第２の位置にある可動部材が第１の位置となってしまうといった事態を防止することができる。従って、不正解錠に対する防御性能を高めるといった上記作用効果が確実に奏される。
【０２３４】
尚「交差する」とあるのに代えて「直交又はほぼ直交する」としてもよい。この場合、上記作用効果がより確実に奏される。
【０２３５】
手段８．前記施錠部材は、前記第２の位置にある前記可動部材の前記第２の位置側の端部を覆う接触防止手段を備えることを特徴とする手段３、５、７のいずれかに記載の遊技機。
【０２３６】
手段８によれば、接触防止手段により、第２の位置にある可動部材の先端部への接触を防止することができる。従って、可動部材の先端部を押圧する等して、可動部材を第１の位置へと変位させてしまうといった行為を確実に防止することができる。尚、接触防止手段は、施錠部材と一体的に形成されてもよいし、施錠部材本体とは別に形成された後、施錠部材本体に対して（取外し困難又は取外し不可能に）固定されるものであってもよい。
【０２３７】
尚、前記施錠部材に対して孔部を形成し、前記第２の位置にある前記可動部材が前記孔部に挿通状態とされることで前記施錠部材の前記非係止位置側への変位が規制されるといった構成を採用する場合には、前記孔部に対応して前記接触防止手段が設けられることとしてもよいし、前記第２の位置にある前記可動部材の先端部が前記施錠部材の前記非係止位置側に位置することで施錠部材の非係止位置側への変位が規制されるといった構成を採用する場合には、前記施錠部材から前記非係止側に突出するようにして接触防止手段が設けられることとしてもよい。
【０２３８】
手段９．前記可動部材は前記駆動手段とは別体として構成されるとともに、前記可動部材と前記駆動手段とが非固定状態で当接していることを特徴とする手段２、３、５〜８のいずれかに記載の遊技機。
【０２３９】
手段９によれば、可動部材が扉体又は前扉の不正開放を規制する際に可動部材に作用する応力（手段６に対応しては、電力供給が停止された状態において、施錠されている扉体を開放させようとした際に、可動部材が、遊技機本体又は扉体のうち開放規制手段が設けられていない他方から受ける力。手段７に対応しては、電力供給が停止された状態において、係止位置にある施錠部材を非係止位置へと変位させようとした際に、可動部材が施錠部材から受ける力）が駆動手段に作用してしまい、駆動手段が損傷してしまうといったおそれを抑制することができる。特に、駆動手段の駆動によって変位する可動部材の変位方向と、可動部材が扉体又は前扉の不正開放を規制する際に可動部材に作用する力の方向とが交差又は直交している場合には、当該作用効果が一層確実に奏される。また、例えば、可動部材が損傷した場合には、可動部材単位で比較的スムースに交換することができる。すなわち、可動部材と駆動手段とが取外し不可能に固定される場合に比べて、省資源化、コストの削減等を図ることができ、可動部材と駆動手段とが取外し可能に固定される場合に比べて、着脱作業が不要なことから製造作業性及びメンテナンス性の向上が図られるとともに、ねじ等が不要なことから構成の簡素化を図ることができる。加えて、市販品の駆動手段（例えばソレノイド等）を改良することなくほぼそのまま搭載することができ、コストの削減、生産性の向上等を図ることができる。
【０２４０】
尚「前記駆動手段はプル式のソレノイドにより構成され、前記可動部材は磁性体により構成され、前記駆動手段への電力供給が停止されて当該駆動手段が非励磁状態とされた場合には、プランジャーに対応して設けられたばねの付勢力により、前記プランジャーがソレノイド本体から突出する向きに変位するとともに、当該プランジャーにより前記可動部材が押圧されて前記第２の位置へと変位し、前記駆動手段に電力が供給されて当該駆動手段が励磁状態とされた場合には、前記プランジャーが前記ばねの付勢力に抗してソレノイド本体へ没入する向きに変位するとともに、前記可動部材が磁化されたプランジャーに引き付けられて前記第１の位置へと変位すること」としてもよい。この場合、比較的簡単に当該手段９の作用効果が奏される開放規制手段を構成することができる。すなわち、駆動手段が励磁状態とされた際に可動部材を第１の位置へと変位させるべく、ばね等の付勢手段や付勢手段を固定する固定部等を別途設ける必要がなく、これにより、製造作業性の向上等を図ることができる。
【０２４１】
手段１０．前記施錠装置は、前記扉体に固定される基体を備え、前記施錠部材は、前記基体に対して相対変位することで、前記係止位置と前記非係止位置との間を変位する構成であって、
前記開放規制手段は、前記基体に固定される取付台と、前記取付台に固定される前記駆動手段と、前記駆動手段の駆動に基づいて前記第１の位置と前記第２の位置との間を変位する前記可動部材とがユニット化されることで構成されていることを特徴とする手段２、３、５〜９のいずれかに記載の遊技機。
【０２４２】
手段１０によれば、例えば、駆動手段と可動部材とが別々に固定されるような場合や、駆動手段と可動部材とが別々の部材に固定されるような場合（例えば、駆動手段が扉体（第１扉体）に直接固定されるとともに、可動部材が基体に固定されるような場合）に比べ、取付作業性の向上やメンテナンス性の向上等を図ることができる。また、開放規制手段は、ユニット単位で取付位置を変更することができることから、機種変更に際して開放規制手段の取付位置の変更を余儀なくされた場合であっても、かかる施錠装置に対して開放規制手段を取付けることができる。
【０２４３】
手段１１．前記基体は、前記可動部材が挿通可能な開口部を有する本体側ガイド壁部を備えていることを特徴とする手段１０に記載の遊技機。
【０２４４】
手段１１によれば、開放規制手段と基体との位置決め、ひいては、可動部材と施錠部材との位置決めをより確実に行うことができる。従って、例えば、駆動手段の取付位置や取付向きが的確ではない等の不具合がある開放規制手段が基体に取付けられてしまい、上記各作用効果が上手く奏されないといった事態を防止することができる。尚、本体側ガイド壁部により、扉体や前扉の開放を規制する際に所定の応力が作用する可動部材を支持する構成とすることもできる。かかる構成を採用する場合であって、可動部材と駆動手段とが固定されている場合には、駆動手段の損傷を抑止することができ、可動部材と駆動手段とが固定されていない場合には、扉体や前扉の開放を確実に規制することができる。
【０２４５】
手段１２．前記取付台は、前記本体側ガイド壁部と対向するとともに、前記本体側ガイド壁部の開口部に臨む位置に開口部が形成されたユニット側ガイド壁部を備え、
前記開放規制手段の前記基体への取付状態において、前記ユニット側ガイド壁部及び前記本体側ガイド壁部の各開口部に嵌め込まれることで固定され、前記可動部材が挿通可能な略筒状の導通部材を備えることを特徴とする手段１１に記載の遊技機。
【０２４６】
手段１２によれば、上記手段１１の作用効果が一層確実に奏される。また、導通部材の存在により、開放規制手段の取付状態の安定化（取付台のがたつき防止）を図ったり、可動部材をより確実にガイドしたりすることができる。
【０２４７】
手段１３．前記第２の位置にある前記可動部材の前記第１の位置側への変位を規制する状態維持手段を具備することを特徴とする手段２、３、５〜１２のいずれかに記載の遊技機。
【０２４８】
手段１３によれば、第２の位置にある可動部材に対して力が加えられることで当該可動部材が第１の位置へと変位させられてしまうといった事態をより確実に防止することができる。
【０２４９】
手段１４．前記施錠装置は、前記扉体（第１扉体）のうち前記遊技機本体に支持された一辺部側とは反対側の他辺部に沿って前記扉体の背面に取付固定される基体を備え、前記基体に対し前記操作部材が取付けられる構成であって、
前記開放規制手段は、前記基体の前面に設けられることを特徴とする手段１乃至１３のいずれかに記載の遊技機。
【０２５０】
手段１４によれば、開放規制手段が基体（施錠装置）の前面に設けられる。このため、施錠装置を扉体（第１扉体）から取外さない限り、開放規制手段を接触不可能又は接触困難とすることができる。従って、遊技機内部に侵入させた線材等により直接開放規制手段に対して力をかけて、開放規制手段を第１の状態へと状態変化させてしまうといった不正行為を抑止することができる。結果として、扉体（第１扉体）及び前扉（第２扉体）の不正開放をより確実に防止することができる。
【０２５１】
手段１５．前記開放規制手段を覆うカバー部材を設けたことを特徴とする手段１乃至１４のいずれかの記載の遊技機。
【０２５２】
手段１５によれば、直接開放規制手段に対して力をかけて、開放規制手段を第１の状態へと状態変化させてしまうといった不正行為を抑止することができる。従って、基本的に上記手段１４と同様の作用効果が奏される。尚、カバー部材は基体の前面側からでないと取外せないようにすることが望ましい。この場合、カバー部材自体が取外されるといった事態を防止することができる。
【０２５３】
また、カバー部材と、上記手段８に記載の接触防止手段とを併用する場合、前記カバー部材は、少なくとも前記開放規制手段が前記第２の状態にあるときに、前記可動部材及び前記駆動手段の駆動部において形成される段差部を覆うこととしてもよい。この場合、段差部に線材等を引っ掛けて可動部材を変位させるといった行為を防止することができる。加えて、上記手段１２に対応しては、導通部材は、前記可動部材及び前記駆動手段の駆動部において形成される段差部を覆う閉塞部を備えることとしてもよい。この場合、導通部材（閉塞部）によりカバー部材が構成される。また、基体から開放規制手段（取付台）を取外さないと導通部材が取外せない構成としておくことにより、導通部材自体が取外されてしまうといった事態を防止することができる。
【０２５４】
以下に、上記各手段が適用される各種遊技機の基本構成を示す。
【０２５５】
Ａ．上記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２５６】
Ｂ．上記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２５７】
Ｃ．上記遊技機は、パチンコ機又はパチンコ機に準ずる遊技機であること。
【０２５８】
Ｄ．上記各手段における遊技機は、スロットマシン等の回胴式遊技機であること。より詳しい態様例としては、「複数の識別情報（図柄）の付された複数の回転体を回転させた後に識別情報を確定停止表示する可変表示装置を備え、始動操作手段（具体的にはスタートレバー）の操作に起因して回転体の回転が開始され、停止操作手段（具体的にはストップボタン）の操作に起因して回転体が停止され、その停止時に有効ライン上に揃った識別情報が特定の識別情報であることを条件に遊技媒体が付与されるよう構成した回胴式遊技機」が挙げられる。
【０２５９】
Ｅ．上記遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２６０】
１０…パチンコ機、１１…外枠、１２…内枠、１４…前面枠セット、１７…受け金具、８３，８４…受け金具、２０３…裏パックユニット、２０４…受け金具、４１１…施錠ソレノイド、４１２…プランジャー、４２１…可動部材、６００…施錠装置、６０１…基枠、６０２…取付板、６０５…第１摺動杆、６１０，６１１，６１２…前面枠セット鉤部、６２１，６２２…裏パック鉤部、６３５…第２摺動杆、６３７，６３８…内枠鉤部、７００…シリンダ錠、７２０…カム板、Ｃ３…コイルばね。
【図１】
0005534048.tif 000002
【図２】
0005534048.tif 000003
【図３】
0005534048.tif 000004
【図４】
0005534048.tif 000005
【図５】
0005534048.tif 000006
【図６】
0005534048.tif 000007
【図７】
0005534048.tif 000008
【図８】
0005534048.tif 000009
【図９】
0005534048.tif 000010
【図１０】
0005534048.tif 000011
【図１１】
0005534048.tif 000012
【図１２】
0005534048.tif 000013
【図１３】
0005534048.tif 000014
【図１４】
0005534048.tif 000015
【図１５】
0005534048.tif 000016
【図１６】
0005534048.tif 000017
【図１７】
0005534048.tif 000018
【図１８】
0005534048.tif 000019
【図１９】
0005534048.tif 000020
【図２０】
0005534048.tif 000021
【図２１】
0005534048.tif 000022
【図２２】
0005534048.tif 000023
【図２３】
0005534048.tif 000024
【図２４】
0005534048.tif 000025
【図２５】
0005534048.tif 000026
【図２６】
0005534048.tif 000027
【図２７】
0005534048.tif 000028
【図２８】
0005534048.tif 000029